(57)【要約】エネルギ蓄積能力を改善し、応力集中を最小限に抑えるための格子を備えるゴルフクラブヘッドフェースプレートの実施形態が開示されている。格子は、フェースプレートの屈曲を容易にする複数の屈曲形状を備えることができる。格子の屈曲形状は、リエントラント形状、凹形状、または非凸形状を備えることができる。格子は、相互接続可能なまたは離間可能な屈曲形状の少なくとも１つの繰り返しパターンを備えることができる。ゴルフボールのインパクトの間、屈曲形状は屈曲して、線形曲げおよびねじれ曲げを通じてエネルギを蓄積する。【選択図】図７
2021531085.tif 000002
【特許請求の範囲】
【請求項１】
格子を備えたフェースプレートを備えたゴルフクラブヘッドであって、
前記格子は、サンバーストパターンで配列された複数の溝を備えており、
サンバースト溝の各々は、
ベース溝と、
複数のリガメント溝であって、前記ベース溝に接続されるとともに前記ベース溝から外向きに延びている前記複数のリガメント溝と、
を備え、
前記ベース溝は、円形の形状を備えており、
前記リガメント溝は、少なくとも１つの曲線を備えており、
少なくとも３つのサンバースト溝は、屈曲形状を形成しており、
前記屈曲形状は、前記屈曲形状の中心に対して一連の凸曲線および凹曲線を形成している少なくとも３つのベース溝および少なくとも３つのリガメント溝の一部を備えており、
前記屈曲形状の前記一連の凸曲線および凹曲線は、線形曲げおよびねじれ曲げによってエネルギを蓄積するために、ゴルフボールインパクト中に屈曲する、ゴルフクラブヘッド。
【請求項２】
前記複数のサンバースト溝は、円形の繰り返しパターン内に点在している屈曲形状の繰り返しパターンを備える、請求項１に記載のゴルフクラブヘッド。
【請求項３】
前記屈曲形状は、内側にへこんだ形状を備えている、請求項１に記載のゴルフクラブヘッド。
【請求項４】
前記複数の屈曲形状は、中央領域、トウ領域、ヒール領域、トップ領域、ボトム領域、ハイ・トウ領域、ロー・トウ領域、ハイ・ヒール領域、およびロー・ヒール領域からなるグループから選択されるフェースプレート領域上に位置している、請求項２に記載のゴルフクラブヘッド。
【請求項５】
前記複数のリガメント溝は、前記ベース溝に沿って等間隔に配置されている、請求項１に記載のゴルフクラブヘッド。
【請求項６】
前記ベース溝は、０．０１インチから０．０５インチの範囲の幅を備える、請求項１に記載のゴルフクラブヘッド。
【請求項７】
前記リガメント溝は、０．０１インチから０．０５インチの範囲の幅を備える、請求項１に記載のゴルフクラブヘッド。
【請求項８】
前記複数の溝の深さは、０．０２５インチから０．０７５インチの範囲である、請求項１に記載のゴルフクラブヘッド。
【請求項９】
格子を備えたフェースプレートを備えたゴルフクラブヘッドであって、
前記格子は、サンバーストパターンで配列された複数の溝を備えており、
サンバースト溝の各々は、
ベース溝と、
複数のリガメント溝であって、前記ベース溝に接続されるとともに前記ベース溝から外向きに延びている前記複数のリガメント溝と、
を備え、
前記ベース溝は、円形の形状を備えており、
前記リガメント溝は、少なくとも１つの曲線を備えており、
少なくとも３つのサンバースト溝は、屈曲形状を形成しており、
前記屈曲形状は、前記屈曲形状の中心に対して一連の凸曲線および凹曲線を形成している少なくとも３つのベース溝および少なくとも３つのリガメント溝の一部を備えており、
前記複数のサンバースト溝は、相互接続された屈曲形状の繰り返しパターンを備えており、
前記屈曲形状の前記一連の凸曲線および凹曲線は、線形曲げおよびねじれ曲げによってエネルギを蓄積するために、ゴルフボールインパクト中に屈曲する、ゴルフクラブヘッド。
【請求項１０】
前記複数の屈曲形状は、中央領域、トウ領域、ヒール領域、トップ領域、ボトム領域、ハイ・トウ領域、ロー・トウ領域、ハイ・ヒール領域、およびロー・ヒール領域からなるグループから選択されるフェースプレート領域上に位置している、請求項９に記載のゴルフクラブヘッド。
【請求項１１】
前記屈曲形状は、内側にへこんだ形状を備えている、請求項９に記載のゴルフクラブヘッド。
【請求項１２】
隣接する屈曲形状が少なくとも１つのリガメント溝を共有している、請求項９に記載のゴルフクラブヘッド。
【請求項１３】
前記リガメント溝は、０．０１インチから０．０５インチの範囲の幅を備える、請求項９に記載のゴルフクラブヘッド。
【請求項１４】
前記複数の溝の深さは、０．０２５インチから０．０７５インチの範囲である、請求項９に記載のゴルフクラブヘッド。
【請求項１５】
格子を備えたフェースプレートを備えたゴルフクラブヘッドであって、
前記格子は、サンバーストパターンで配列された複数の溝を備えており、
サンバースト溝の各々は、
ベース溝と、
複数のリガメント溝であって、前記ベース溝に接続されるとともに前記ベース溝から外向きに延びている前記複数のリガメント溝と、
を備え、
前記ベース溝は、円形の形状を備えており、
前記リガメント溝は、第１の曲線と、第２の曲線と、前記第１の曲線と前記第２の曲線との間に位置する変曲点と、を備えており、
少なくとも３つのサンバースト溝は、屈曲形状を形成しており、
前記屈曲形状は、前記屈曲形状の中心に対して一連の凸曲線および凹曲線を形成している少なくとも３つのベース溝および少なくとも３つのリガメント溝の一部を備えており、
前記屈曲形状は、内側にへこんだ形状を備えており、
前記屈曲形状の前記一連の凸曲線および凹曲線は、線形曲げおよびねじれ曲げによってエネルギを蓄積するために、ゴルフボールインパクト中に屈曲する、ゴルフクラブヘッド。
【請求項１６】
前記複数のサンバースト溝は、円形の繰り返しパターン内に点在している屈曲形状の繰り返しパターンを備える、請求項１５に記載のゴルフクラブヘッド。
【請求項１７】
前記複数の屈曲形状は、中央領域、トウ領域、ヒール領域、トップ領域、ボトム領域、ハイ・トウ領域、ロー・トウ領域、ハイ・ヒール領域、およびロー・ヒール領域からなるグループから選択されるフェースプレート領域上に位置している、請求項１５に記載のゴルフクラブヘッド。
【請求項１８】
前記リガメント溝は、０．０１インチから０．０５インチの範囲の幅を備える、請求項１５に記載のゴルフクラブヘッド。
【請求項１９】
前記リガメント溝の前記第１の曲線および前記第２の曲線は、同様の幅を備えている、請求項１８に記載のゴルフクラブヘッド。
【請求項２０】
前記複数の溝の深さは、０．０２５インチから０．０７５インチの範囲である、請求項１５に記載のゴルフクラブヘッド。
【発明の詳細な説明】
【技術分野】
【０００１】
＜関連出願の相互参照＞
本願は、２０１８年７月１２日に出願された米国仮特許出願第６２／６９７，３０４号の優先権を主張するものであり、この全内容は、参照により本明細書に援用される。
【０００２】
本発明は、一般に、格子を有するゴルフクラブヘッドフェースプレートに関する。
【背景技術】
【０００３】
ゴルフクラブの設計は、ボール速度のような、いくつかの性能特性を考慮に入れている。典型的には、ゴルフクラブ設計は、フェースプレートのたわみまたは屈曲性の能力を増加させることによって、ボール速度を増加させることを目的とする。しかしながら、現在の設計は、製造または構造上の考慮事項のために制限される。したがって、応力集中を最小限に抑えながらボール速度をさらに増大させるフェースプレートを有するクラブヘッドが、当技術分野で必要とされている。
【図面の簡単な説明】
【０００４】
【図１】一実施形態によるゴルフクラブヘッドフェースプレートの正面図を示す。
【０００５】
【図２】図１のゴルフクラブヘッドの断面図を示す。
【０００６】
【図３】異なるフェースプレート領域に細分されたゴルフクラブヘッドフェースプレートの正面図を示す。
【０００７】
【図４】異なるフェースプレート領域に細分されたゴルフクラブヘッドフェースプレートの正面図を示す。
【０００８】
【図５】異なるフェースプレート領域に細分されたゴルフクラブヘッドフェースプレートの正面図を示す。
【０００９】
【図６】異なるフェースプレート領域に細分されたゴルフクラブヘッドフェースプレートの正面図を示す。
【００１０】
【図７】一実施形態によるフェースプレート格子の一部を示す図である。
【００１１】
【図８】一実施形態によるフェースプレート格子の一部を示す図である。
【００１２】
【図９】一実施形態によるフェースプレート格子の一部を示す図である。
【００１３】
【図１０】一実施形態によるフェースプレート格子の一部を示す図である。
【００１４】
【図１１】一実施形態によるフェースプレート格子の一部を示す図である。
【００１５】
【図１２】一実施形態によるフェースプレート格子の一部を示す図である。
【００１６】
【図１３】一実施形態によるフェースプレート格子の一部を示す図である。
【００１７】
【図１４】一実施形態によるフェースプレート格子の一部を示す図である。
【００１８】
【図１５】一実施形態によるフェースプレート格子の一部を示す図である。
【００１９】
【図１６】一実施形態によるフェースプレート格子の一部を示す図である。
【００２０】
【図１７】一実施形態によるフェースプレート格子の一部を示す図である。
【００２１】
説明を簡潔かつ明瞭にするために、図面は、構造を包括的に示しており、ゴルフクラブおよびその製造方法を不必要に不明瞭にすることを避けるために、周知の特徴及び技術については、説明及び詳細を省略する場合がある。更に、図面の要素は、必ずしも実際の縮尺を反映していない。例えば、図面の幾つかの要素の寸法は、ゴルフクラブおよびその製造方法の実施形態を明瞭にするために、他の要素に対して誇張して示している場合がある。異なる図面における同じ参照符号は、同じ要素を示す。
【発明を実施するための形態】
【００２２】
以下に説明する本実施形態は、格子を含むゴルフクラブヘッドフェースプレートを対象とする。格子は、フェースプレートの曲げを容易にする複数の屈曲形状を含む。格子の屈曲形状は、内側にへこんだ形状（すなわち、内側を向いた形状）、凹形状、または非凸形状を含む。格子は、屈曲形状の繰り返しパターンを備える。屈曲形状は、互いに接続された形状や、互いに離れた形状とすることができる。格子の寸法、形状、およびパターンは、ゴルフボールインパクト時のフェースプレートの屈曲に影響する。ゴルフボールの衝突時に、格子の屈曲形状は、線形曲げおよびねじれ曲げを通じてエネルギを蓄積する小さなバネとして機能する。２つの曲げモードを通じてエネルギを蓄積することにより、フェースプレート内により大きなエネルギ蓄積が得られる。これにより、ゴルフボールのインパクトの間に、より大きなボール速度とすることが可能になる。さらに、格子の屈曲形状は、フェースプレート材料のより大きな体積にわたって、減少した応力の位置をずらすことによって、フェースプレート材料の小さな体積（すなわち、フェースプレートのインパクト面積）に集中する最大応力を減少させる。これにより、フェースプレートのインパクト領域から最大応力を遠ざけることができるため、フェースプレートの耐久性を高めることができる。フェースプレート材料のより大きな体積にわたって応力を広げることと、曲げの２つのモードとの組み合わせは、ボール速度の時速１〜３マイルの増加につながる。
【００２３】
明細書及び特許請求の範囲における「第１」、「第２」、「第３」、及び「第４」等の用語は、類似の要素を区別するために使用しており、必ずしも特定の順序又は時系列を示すものではない。このように使用される用語は、適切な状況下で交換可能であり、例えば、本明細書に記載する実施形態は、本明細書に図示し又は他の手法で記載している順序以外の順序で実行してもよい。更に、「含む」、「有する」及びこの活用形は、非排他的な包含を意図しており、要素のリストを備えるプロセス、方法、システム、物品、装置、又は機器は、必ずしもこれらの要素に限定されるものではなく、明示的に列挙されていない要素又はこのようなプロセス、方法、システム、物品、装置、又は機器に固有の他の要素を含むことができる。
【００２４】
明細書及び特許請求の範囲における「左」、「右」、「前」、「後」、「頂部」、「底部」、「上」、「下」等の用語は、説明を目的とし、必ずしも恒久的な相対位置を記述するものではない。これらの用語は、適切な状況下で交換可能であり、本明細書に記載する装置、方法、及び／又は物品の実施形態は、例えば、本明細書に例示又は記載した向きとは異なる向きで動作することができる。
【００２５】
本明細書に記載されるように、ゴルフクラブの「ロフト」または「ロフト角」という用語は、任意の適切なロフトおよびライ機械（loft and lie machine）によって測定される、クラブフェースとシャフトとの間に形成される角度を指す。
【００２６】
ゴルフクラブヘッドの実施形態が本明細書に記載される。ゴルフクラブヘッドは、ドライバータイプクラブヘッド、フェアウェイウッドタイプクラブヘッド、またはハイブリッドタイプクラブヘッドを備えることができる。例えば、いくつかの実施形態では、ゴルフクラブヘッドは、ドライバータイプのクラブヘッドを備えることができる。ドライバータイプクラブヘッドは、ロフト角および容積（volume）を備える。多くの実施形態では、ドライバータイプクラブヘッドのロフト角は、約１６°未満、約１５°未満、約１４°未満、約１３°未満、約１２°未満、約１１°未満、または約１０°未満である。さらに、多くの実施形態では、ドライバータイプクラブヘッドの容積は、約４００ｃｃより大きく、約４２５ｃｃより大きく、約４４５ｃｃより大きく、約４５０ｃｃより大きく、約４５５ｃｃより大きく、約４６０ｃｃより大きく、約４７５ｃｃより大きく、約５００ｃｃより大きく、約５２５ｃｃより大きく、約５５０ｃｃより大きく、約５７５ｃｃより大きく、約６００ｃｃより大きく、約６２５ｃｃより大きく、約６５０ｃｃより大きく、約６７５ｃｃより大きく、または約７００ｃｃより大きい。いくつかの実施形態では、ドライバータイプクラブヘッドの容積は、約４００ｃｃ〜６００ｃｃ、４２５ｃｃ〜５００ｃｃ、約５００ｃｃ〜６００ｃｃ、約５００ｃｃ〜６５０ｃｃ、約５５０ｃｃ〜７００ｃｃ、約６００ｃｃ〜６５０ｃｃ、約６００ｃｃ〜７００ｃｃ、または約６００ｃｃ〜８００ｃｃとすることができる。
【００２７】
例えば、いくつかの実施形態では、ゴルフクラブヘッドは、フェアウェイウッドタイプのクラブヘッドを備えることができる。フェアウェイウッドタイプのクラブヘッドは、ロフト角および容積を備える。多くの実施形態では、フェアウェイウッドタイプクラブヘッドのロフト角は、約３５度未満、約３４度未満、約３３度未満、約３２度未満、約３１度未満、または約３０度未満である。さらに、多くの実施形態では、フェアウェイウッドタイプクラブヘッドのロフト角は、約１２度よりも大きく、約１３度よりも大きく、約１４度よりも大きく、約１５度よりも大きく、約１６度よりも大きく、約１７度よりも大きく、約１８度よりも大きく、約１９度よりも大きく、または約２０度よりも大きい。例えば、いくつかの実施形態では、フェアウェイウッドタイプクラブヘッドのロフト角は、１２度〜３５度、１５度〜３５度、２０度〜３５度、または１２度〜３０度であり得る。
【００２８】
さらに、多くの実施形態では、フェアウェイウッドタイプクラブヘッドの容積は、約４００ｃｃ未満、約３７５ｃｃ未満、約３５０ｃｃ未満、約３２５ｃｃ未満、約３００ｃｃ未満、約２７５ｃｃ未満、約２５０ｃｃ未満、約２２５ｃｃ未満、または約２００ｃｃ未満である。いくつかの実施形態では、フェアウェイウッドタイプクラブヘッドの容積は、約１５０ｃｃ〜２００ｃｃ、約１５０ｃｃ〜２５０ｃｃ、約１５０ｃｃ〜３００ｃｃ、約１５０ｃｃ〜３５０ｃｃ、約１５０ｃｃ〜４００ｃｃ、約３００ｃｃ〜４００ｃｃ、約３２５ｃｃ〜４００ｃｃ、約３５０ｃｃ〜４００ｃｃ、約２５０ｃｃ〜４００ｃｃ、約２５０〜３５０ｃｃ、または約２７５〜３７５ｃｃとすることができる。
【００２９】
例えば、いくつかの実施形態では、ゴルフクラブヘッドは、ハイブリッドタイプクラブヘッドを含むことができる。ハイブリッドタイプクラブヘッドは、ロフト角および容積を含む。多くの実施形態では、ハイブリッドタイプクラブヘッドのロフト角は、約４０度未満、約３９度未満、約３８度未満、約３７度未満、約３６度未満、約３５度未満、約３４度未満、約３３度未満、約３２度未満、約３１度未満、または約３０度未満である。さらに、多くの実施形態では、ハイブリッドタイプクラブヘッドのロフト角は、約１６度よりも大きく、約１７度よりも大きく、約１８度よりも大きく、約１９度よりも大きく、約２０度よりも大きく、約２１度よりも大きく、約２２度よりも大きく、約２３度よりも大きく、約２４度よりも大きく、または約２５度よりも大きい。
【００３０】
さらに、多くの実施形態では、ハイブリッドタイプクラブヘッドの容積は、約２００ｃｃ未満、約１７５ｃｃ未満、約１５０ｃｃ未満、約１２５ｃｃ未満、約１００ｃｃ未満、または約７５ｃｃ未満である。いくつかの実施形態では、ハイブリッドタイプクラブヘッドの容積は、約１００ｃｃ〜１５０ｃｃ、約７５ｃｃ〜１５０ｃｃ、約１００ｃｃ〜１２５ｃｃ、または約７５ｃｃ〜１２５ｃｃとすることができる。
【００３１】
議論および理解を容易にするために、および説明のみを目的として、以下の詳細な説明は、ドライバーとしてのゴルフクラブヘッドを示す。
ボール速度を上げるためのフェースプレート格子の図示を目的として、ドライバーが提供されていることが理解されるべきである。上述のように、開示の格子を有するフェースプレートは、一般に、任意の所望のドライバー、フェアウェイウッド、ハイブリッド、またはウッドに関連して使用することができる。
【００３２】
他の特徴および態様は、以下の詳細な説明および添付の図面を考慮することによって明らかになるであろう。本開示の任意の実施形態が詳細に説明される前に、本開示は、その適用において、以下の説明に記載されるような、または図面に示されるような、詳細または実施形態、および構成要素の配置に限定されないことを理解されたい。本開示は、他の実施形態をサポートすることができ、様々な方法で実施または実行することができる。特定の実施形態の説明は、本開示の精神および範囲内にあるすべての修正、均等物、および代替物を網羅することから、本開示を制限することを意図していないことを理解されたい。また、本明細書で使用される語法および用語は、説明の目的のためのものであり、限定とみなされるべきではないことを理解されたい。
【００３３】
＜格子付きゴルフクラブヘッドフェースプレート＞
本明細書に記載されているゴルフクラブヘッドフェースプレートは、格子を含んでいる。格子は、フェースプレートの屈曲を容易にする、複数の屈曲形状を含む。ゴルフボールのインパクトの間、フェースプレート格子の屈曲形状は、線形曲げおよびねじれ曲げを通じてエネルギを蓄積する小さなバネとして作用する。２つの曲げモードを通じてエネルギを蓄積することにより、より大きなフェースプレートエネルギ蓄積が可能となり、ゴルフボールのインパクト中により大きなボール速度が得られる。更に、格子の屈曲形状は、フェースプレート材料の小さな体積にわたって生じる最大の応力を減少させ、フェースプレート材料のより大きな体積にわたって、減少された応力の位置をずらす。
【００３４】
図面を参照すると、図１は、ゴルフクラブヘッド１００の正面図を概略的に示している。同様の参照番号は、様々な図において同様または同一の構成要素を識別するために使用されている。ゴルフクラブヘッド１００は、実質的に閉じた／中空の内部容積を画定するように互いに固定された、フェースプレート１３０および本体１１０を含んでいる。クラブヘッド１００は、クラウン１１４と、クラウン１１４の反対側のソール１１８と、ヒール１２２と、ヒール１２２の反対側のトウ１２６と、を含む。
【００３５】
図１及び図２に示すように、フェースプレート１００は、ゴルフボールを打撃することを意図した打撃フェース１３４と、打撃フェース１３４の反対側の背面１３８とを含む。フェースプレート１３０は、フェースプレート１３０の幾何学的中心に位置する中心１３２と、周辺部１３６と、をさらに備えている。周辺部１３６は、クラウン１１４、トウ１２６、ソール１１８、およびクラブヘッド１００のヒール１２２の近くのフェースプレート１３０の周囲に全体的に延在している。
【００３６】
クラブヘッド１００がゴルフボールを打撃したときに生じるインパクト応力に耐えるために、フェースプレート１３０は、金属、または金属合金、および好ましくは軽量金属合金で形成される。例えば、ステンレス鋼または鋼合金（例えばこれらに限定されないが、Ｃ３００、Ｃ３５０、Ｎｉ(ニッケル）−Ｃｏ（コバルト）−Ｃｒ（クロム）−鋼合金、５６５鋼、ＡＩＳＩタイプ３０４またはＡＩＳＩタイプ６３０ステンレス鋼）、チタン合金（例えばこれらに限定されないが、Ｔｉ−６−４、Ｔｉ−３−８−６−４−４、Ｔｉ−１０−２−３、Ｔｉ  １５−３−３−３、Ｔｉ  １５−５−３、Ｔｉ１８５、Ｔｉ  ６−６−２、Ｔｉ−７ｓ、Ｔｉ−９ｓ、Ｔｉ−９２、またはＴｉ−８−１−１チタン合金）、アモルファス金属合金、または他の同様の金属などである。
【００３７】
クラブヘッド１００のフェースプレートは、フェースプレート１３０内に窪んだ複数の屈曲形状を有する、格子１４０をさらに含む。格子１４０は、フェースプレート１３０の背面１３８内に窪ませることができる。格子１４０は、クラブヘッド１００の閉じた／中空の内部容積内に配置することができる。格子１４０は、クラブヘッド１００の外部表面に露出されていないか、または外部表面には見えない。
【００３８】
図３〜図５に示すように、格子１４０は、フェースプレート１３０の領域に配置することができる。フェースプレート１３０は、フェースプレート１３０のフェースプレート中心１３２付近に位置する中央領域１５０と、クラブヘッド１００のトウ１２６付近に位置するトウ領域１５８と、クラブヘッド１００のヒール１６２付近に位置するヒール領域１６２と、クラブヘッド１００のソール１１８付近に位置するボトム領域１６６と、クラブヘッド１００のクラウン１１４付近に位置するトップ領域１７０と、を含むことができる。格子１４０は、中央領域１５０、トウ領域１５８、ヒール領域１６２、ボトム領域１６６、トップ領域１７０、またはこれらの任意の組み合わせに配置することができる。
【００３９】
他の実施形態では、図６に示されるように、フェースプレート１３０は、さらに、ハイ・トウ領域１７４、ロー・トウ領域１７８、ハイ・ヒール領域１８２、ロー・ヒール領域１８６を構成することができる。格子１４０は、ハイ・トウ領域１７４、ロー・トウ領域１７８、ハイ・ヒール領域１８２、ロー・ヒール領域１７８、またはこれらの任意の組合せ上に配置することができる。フェースプレート１３０上の格子１４０の位置は、ゴルフボールのインパクト中にフェースプレート１３０がどのように屈曲するかに影響を与え得る。いくつかの実施形態では、格子１４０は、ドロー、フェード、またはストレートなどの異なるゴルフボールショットシェイプを達成するために、非対称曲げを有するフェースプレート１３０を提供することができる。一実施形態では、格子１４０は、ハイ・トウ領域１７４およびロー・ヒール領域１８６に配置されて、ドローがかかったショットシェイプ（すなわち、右から左へのボール飛行）を提供することができる。別の例では、格子１４０は、フェードがかかったショットシェイプ（すなわち、左から右へのボール飛行）を提供するために、ハイ・ヒール領域１８２およびロー・トウ領域１７８に配置することができる。
【００４０】
他の実施形態では、格子１４０は、クラブヘッド１００の外面、または、閉鎖容積／内容積に隣接して配置された、クラブヘッド１００の内面に配置することができる。より具体的には、格子１４０は、クラウン１１４、ソール１１８、トウ１２６、ヒール１２２、またはそれらの任意の組み合わせに配置することができる。さらに他の実施形態では、格子１４０は、フェースプレート１３０、およびクラウン１１４、ソール１１８、トウ１２６、またはヒール１２２のうちの少なくとも１つに配置することができる。他の実施形態では、クラウン１１４またはソール１１８の一部は、クラブヘッド１００に取り付けることができるインサートとして形成することができ、格子１４０はインサート上に形成される。さらに他の実施形態では、クラブヘッド１００は、１つの構成要素またはピースとして一体的に形成することができる。ここで格子１４０は、クラウン１１４、ソール１１８、トー１２６、またはヒール１２２のうちの少なくとも１つにおいて、クラブヘッド１００と一体的に形成することができる。クラウン１１４またはソール１１８の少なくとも１つに配置された格子１４０は、応力集中を最小限に抑え、最大応力集中をクラウン１１４またはソール１１８の最も薄い部分から離れるように移動させることができる。
【００４１】
格子１４０は、背面の表面積に占める割合を構成することができる。いくつかの実施形態では、格子１４０は、背面表面積の４０％超、４５％超、５０％超、５５％超、６０％超、６５％超、７０％超、または７５％超を構成することができる。他の実施形態では、格子１４０は、背面表面積の１０％〜１００％を構成することができる。いくつかの実施形態では、格子１４０は、背面表面積の１０％〜９５％、１０％〜９０％、１０％〜８５％、１０％〜８０％、１０％〜７５％、１０％〜７０％、１０％〜６５％、１０％〜６０％、１０％〜５５％、または１０％〜５０％を構成することができる。いくつかの実施形態では、格子１４０は、背面表面積の１０％〜２５％、２５％〜４０％、４０％〜５５％、５５％〜７０％、７０％〜８５％、または８５％〜１００％を構成することができる。例えば、格子１４０は、背面表面積の１０％、２０％、３０％、４０％、５０％、５５％、６０％、６５％、７０％、７５％、８０％、８５％、９０％、９５％、または１００％を構成することができる。
【００４２】
格子１４０は、少なくとも１つの繰り返しパターンを含むことができる。いくつかの実施形態では、格子１４０は、複数の繰り返しパターンを含むことができる。例えば、格子１４０は、１つ、２つ、３つ、４つ、または５つの繰り返しパターンを含むことができる。他の実施形態では、少なくとも１つの繰り返しパターンは、半径方向パターンとすることができる。ここで、パターンは、半径方向（すなわち、フェースプレート中心からフェースプレート周囲まで）に繰り返される。
【００４３】
格子１４０の屈曲形状の数は、格子１４０がフェースプレートにエネルギを蓄積する方法に影響を与えることができる。いくつかの実施形態では、屈曲形状の数は、中央領域１５０、トウ領域１５８、ヒール領域１６２、ボトム領域１６６、トップ領域１７０、ハイ・トウ領域１７４、ロー・トウ領域１７８、ハイ・ヒール領域１８２、またはロー・ヒール領域１８６に向かって、増加し、減少し、または一定のままとすることができる。例えば、屈曲形状の数は、フェースプレート１３０のトウ領域１５８に向かって減少することができる。別の例では、屈曲形状の数は、フェースプレート１３０のボトム領域１６６に向かって減少することができる。他の例では、屈曲形状の数は、フェースプレート１３０のヒール領域１６２に向かって減少することができる。別の例では、屈曲形状の数は、フェースプレート１３０のトップ領域１７０に向かって減少することができる。
【００４４】
格子１４０の屈曲形状の大きさ（すなわち体積）は、格子１４０がフェースプレートにエネルギを蓄積する方法に影響を与えることができる。いくつかの実施形態では、屈曲形状のサイズは、中央領域１５０、トウ領域１５８、ヒール領域１６２、ボトム領域１６６、トップ領域１７０、ハイ・トウ領域１７４、ロー・トウ領域１７８、ハイ・ヒール領域１８２、またはロー・ヒール領域１８６に向かって、増加し、減少し、または一定のままとすることができる。例えば、屈曲形状のサイズは、フェースプレート１３０のトウ曲げを容易にするために、トウ領域１５８においてヒール領域１６２よりも大きくすることができる。別の例では、屈曲形状のサイズは、フェースプレート１３０のソール曲げを容易にするために、ボトム領域１６６においてトップ領域１７０よりも大きくすることができる。別の例では、屈曲形状のサイズは、フェースプレート１３０のヒール曲げを容易にするために、ヒール領域１６２においてトウ領域１５８よりも大きくすることができる。別の例では、屈曲形状のサイズは、フェースプレート１３０のクラウン曲げを容易にするために、トップ領域１７０において、ボトム領域１６６よりも大きくすることができる。
【００４５】
屈曲形状の数は、屈曲形状のサイズに対応することができる。屈曲形状の数は、屈曲形状のサイズと逆の関係を有することができる。屈曲形状のサイズが増加するにつれて、屈曲形状の数は減少する。別の言い方をすれば、屈曲形状のサイズが減少するにつれて、屈曲形状の数が増加する。フェースプレート１３０上の屈曲形状の位置決めと共に、屈曲形状のサイズおよび数は、ドロー、フェード、またはストレートなどの望ましいゴルフボールショットシェイプをさらに強化することができる。
【００４６】
複数の格子１４０の屈曲形状は、フェースプレートの曲げを容易にする。格子１４０の屈曲形状は、リエントラント（reentrant）（すなわち、内側を向いた形状）、凹形、または非凸形を含むことができる。図７〜９に図示されるように、格子１４０の屈曲形状は、一連の相互接続された溝で構成することができる。一連の相互接続された溝は、ベース溝と、ベース溝に接続された複数のリガメント（ligament）溝と、によって構成することができる。一連の相互接続された溝は、ベース溝の反復パターン、およびリガメント溝の反復パターンで構成することができる。ベース溝およびリガメント溝の反復パターンが相互接続することで、屈曲形状が形成される。屈曲形状は、ベース溝およびリガメント溝の一部から形成することができる。屈曲形状の部分は、屈曲形状の中心に対して凹状または凸状のいずれかである。以下により詳細に記載されるように、一連の相互接続された溝は、サンバーストパターン、キラル（chiral）パターン、または風車パターンで配置することができる。
【００４７】
いくつかの実施態様において、図１０〜１４に示されるように、格子１４０の屈曲形状は、複数のランド部分から形成することができる。複数のランド部分は、複数の屈曲形状凹部を形成する。屈曲形状凹部は、鋭角の内角を画定する少なくとも２つの頂点と、屈曲形状凹部の周囲に優角を画定する少なくとも１つの頂点と、を備えることができる。少なくとも１つの優角頂点は、少なくとも２つの鋭角内角頂点の間に配置される。少なくとも１つの優角頂点は、鋭角内角を画定しない。鋭角内角は、９０度未満の角度を画定することができ、優角は、１８０度を超え３６０度未満の角度を画定することができる。屈曲形状凹部の少なくとも１つの優角頂点は、屈曲形状凹部のリエントラント（reentrant）、凹形、または非凸形を画定することができる。以下により詳細に記載されるように、ランド部分から形成される屈曲形状凹部は、複数のエバン（Ｅｖａｎ）、矢じり、４点星形、６点星形、または３点星形屈曲形状凹部を備えることができる。
【００４８】
他の実施形態では、図１５〜図１７に示すように、屈曲形状は、複数のランド部分から形成することができる。複数のランド部分は、複数の屈曲形状凹部を形成する。これらの実施形態では、ランド部分は、隣接する屈曲形状凹部の間に幾何学的形状を備えることができる。ランド部分の幾何学的形状は、三角形、正方形、長方形、菱形、平行四辺形、または六角形を備えることができる。複数のランド部分は、複数の相互接続された形状を備えることができ、各ランド部分の幾何学的形状は、１つまたは複数の屈曲形状凹部の一部を画定することができる。以下により詳細に記載されるように、幾何学的形状を有するランド部分から形成される屈曲形状凹部は、複数のトライアド、ダイヤモンド、またはスロット屈曲形状凹部を備えることができる。
【００４９】
さらに、いくつかの実施形態では、フェースプレート格子１４０は、オーキセティック挙動（auxetic behavior）を示すことができる。オーセティック挙動は、ほぼゼロまたは負のポアソン比を有する構造として定義することができる。言い換えると、オーキセティック構造が伸張されるかまたは引張力が加えられるにつれて、オーキセティック構造は、加えられた力に垂直な方向に厚くなるか（より薄くなる場合とは対照的に）、または膨張する傾向がある。対照的に、ゼロに近くない正のポアソン比を有する材料は、加えられた力に対して垂直な方向に収縮する。オーキセティック構造は、張力で伸張されたときのオーキセティック構造の膨張特性が、フェースプレートの柔軟性およびフェースプレートエネルギ蓄積量を増加させるので、クラブヘッドフェースプレートにとって有利である。フェースプレートのエネルギ蓄積量を増やすと、ゴルフボールのインパクト時にボール速度が増加する。
【００５０】
ゴルフボールインパクト時のフェースプレート１３０の内部エネルギを測定する有限要素シミュレーションに基づくと、格子１４０を含むフェースプレート１３０は、格子１４０を欠いたフェースプレートと比較して、内部エネルギ蓄積量を１０％から２０％増加させる。いくつかの実施形態では、内部エネルギ蓄積量を、１０％〜１５％、または１５％〜２０％増加させることができる。内部エネルギ蓄積量のこの増加は、格子１４０がないフェースプレートと比較して、ボール速度のおよそ１．０〜３．０ｍｐｈの増加に等しい。いくつかの実施形態では、ボール速度は、１．０〜２．０ｍｐｈ、または２．０〜３．０ｍｐｈ増加する。いくつかの実施形態では、ボール速度は、１．０〜１．５ｍｐｈ、１．５〜２．０ｍｐｈ、２．０〜２．５ｍｐｈ、または２．５〜３．０ｍｐｈ増加する。このボール速度の増加は、格子１４０を欠くフェースプレートと比較して、ボール距離のおよそ５〜１５ヤードの増加に等しい。いくつかの実施形態では、ボール距離は、５〜１０ヤード、または１０〜１５ヤード増加する。いくつかの実施形態では、ボール距離は、５〜７ヤード、７〜９ヤード、９〜１１ヤード、１１〜１３ヤード、または１３〜１５ヤード増加する。格子１４０を含むフェースプレート１３０の利点は、以下により詳細に説明される。
【００５１】
ゴルフボールのインパクト中にフェースプレート１３０を測定する反発係数（ＣＯＲ）フェースプレート試験に基づくと、格子１４０を含むフェースプレート１３０は、格子１４０を欠いたフェースプレートと比較して、ＣＯＲを２％から１０％増加させる。いくつかの実施形態では、格子１４０を有さないフェースプレートと比較して、ＣＯＲを２％〜５％、または５％〜１０％増加させることができる。例えば、格子１４０を有するフェースプレート１３０のＣＯＲは、格子１４０を欠くフェースプレートと比較して、２％、３％、４％、５％、６％、７％、８％、９％、または１０％増加させることができる。
【００５２】
格子１４０の寸法は、格子がエネルギをフェースプレートに蓄積する方法に影響を与え得る。例えば、格子１４０は、背面１３８から背面１３８に垂直な方向の格子１４０の底面までの距離として測定される、深さを含むことができる。格子１４０の深さは、０．０２５インチ〜０．０７５インチの範囲とすることができる。格子１４０の深さは、０．０２５インチ〜０．０５インチ、または０．０５インチ〜０．０７５インチの範囲とすることができる。例えば、格子１４０の深さは、０．０２５、０．０３、０．０３５、０．０４、０．０４５、０．０５、０．０５５、０．０６、０．０６５、０．０７、または０．０７５インチとすることができる。一例では、格子１４０の深さは０．０５インチとすることができる。
【００５３】
フェースプレート１３０の寸法は、格子がエネルギをフェースプレートに蓄積する方法に影響を与え得る。例えば、フェースプレート１３０は、打撃フェース１３４に対して垂直な方向において打撃フェース１３４から背面１３８まで測定された、厚さを含む。フェースプレート１３０の厚さは、フェースプレート中心１３２からフェースプレート周辺部１３６まで変化する。フェースプレートの厚さは、フェースプレートの重量を低減することを容易にするとともに、重心位置または慣性モーメントを容易にするために、クラブヘッドの他の部分（例えば、ソール）に重量を移動させることを可能にすることができる。
【００５４】
厚いフェースプレート１３０は、フェースプレート１３０の屈曲を制限することによって、格子１４０のエネルギ蓄積能力を最小化することができる。より薄いフェースプレート１３０は、フェースプレート１３０が自由に屈曲することを可能にすることで、格子１４０のエネルギ蓄積能力を増大させることができる。例えば、フェースプレート中央付近のフェースプレートの厚さは、０．１０インチから０．２５インチの範囲にすることができる。いくつかの実施形態では、フェースプレート中央付近のフェースプレートの厚さは、０．１０インチから０．１７５インチ、または０．１７５インチから０．２５インチの範囲とすることができる。他の実施形態では、フェースプレート中央付近のフェースプレートの厚さは、０．１０インチから０．１５インチ、０．１５インチから０．２０インチ、または０．２０インチから０．２５インチの範囲とすることができる。例えば、フェースプレート中央付近のフェースプレートの厚さは、０．１０、０．１１、０．１２、０．１３、０．１４、０．１５、０．１６、０．１７、０．１８、０．１９、０．２０、０．２１、０．２２、０．２３、０．２４、または０．２５インチにできる。別の例では、フェースプレート中央付近のフェースプレートの厚さは、０．２０インチとすることができる。
【００５５】
別の例では、フェースプレートの周囲の近くのフェースプレートの厚さは、０．６０インチから０．１４インチの範囲とすることができる。いくつかの実施形態では、フェースプレートの周囲の近くのフェースプレートの厚さは、０．６０インチから０．１０インチ、又は０．１０インチから０．１４インチの範囲とすることができる。いくつかの実施形態では、フェースプレートの周囲の近くのフェースプレートの厚さは、０．６０インチから０．０８インチ、０．０８インチから０．１０インチ、０．１０インチから０．１２インチ、または０．１２インチから０．１４インチの範囲とすることができる。例えば、フェースプレートの周囲付近のフェースプレートの厚さは、０．０６、０．０７、０．０８、０．０９、０．１０、０．１１、０．１２、０．１３、または０．１４インチにできる。別の例では、フェースプレートの周囲の近くのフェースプレートの厚さは、０．０９インチとすることができる。
【００５６】
＜一連の相互接続溝を有する格子＞
上述のように、格子は、複数の屈曲形状を備えることができる。これらの屈曲形状は、一連の相互接続された溝をさらに備えることができる。一連の相互接続された溝は、ベース溝と、ベース溝から外側に延びる複数のリガメント溝とを備えることができる。複数のリガメント溝は、ベース溝と接続されるか、または一体化されることができる。複数のリガメント溝は、ベース溝に沿って等間隔に配置されてもよく、または不等間隔に配置されてもよい。一連の相互接続された溝は、ベース溝の反復パターン、およびリガメント溝の反復パターンを備えることができる。ベース溝およびリガメント溝の反復パターンは、屈曲形状から相互接続される。屈曲形状は、ベース溝およびリガメント溝の一部から形成することができる。屈曲形状の一部は、屈曲形状の中心に対して凹状または凸状のいずれかである。一連の相互接続された溝から形成された屈曲形状を有する格子は、フェースプレート内により大きなエネルギを蓄積することを容易にし、ゴルフボールのインパクト中により大きなボール速度を可能にする。以下に、相互接続されたベース溝およびリガメント溝を備える格子の、３つの例を記載する。
【００５７】
＜サンバースト溝＞
一例では、図７に示すように、フェースプレート１３０は格子２４０を備えることができる。格子２４０は、上述した格子１４０に類似することができるが、サイズ、形状、または寸法が異なることがある。格子２４０は、複数のサンバースト溝を備えることができる。別の言い方をすれば、格子２４０は、サンバーストパターンで配置された複数の溝を備えることができる。各サンバースト溝は、ベース溝２４４と、ベース溝２４４から延びる６つのリガメント溝２４８と、を備えることができる。ベース溝２４４は円形状とすることができ、リガメント溝２４８は湾曲させることができる。リガメント溝２４８は、ベース溝２４４から非直線的に外向きに、または離れるように延びることができる。
【００５８】
リガメント溝２４８は、第１の曲線２５２と、第２の曲線２５６と、第１の曲線２５２と第２の曲線２５６との間に配置された変曲点２６０と、を含むことができる。変曲点２６０の位置は、リガメント溝２４８の曲率の方向の変化を示している。いくつかの実施形態では、リガメント溝２４８の第１の曲線２５２および第２の曲線２５６は、同様の幅を備えることができる。他の実施形態では、リガメント溝２４８の第１の曲線２５２および第２の曲線２５６は、異なる幅を備えることができる。
【００５９】
第１の曲線２５２及び第２の曲線２５６は、外半径を備えることができる。第１の曲線２５２及び第２の曲線２５６の外半径は、類似又は異なるものとすることができる。第１の曲線２５２及び第２の曲線２５６の外半径は、０．０８〜０．１６インチの範囲とすることができる。いくつかの実施態様において、第１の曲線２５２及び第２の曲線２５６の外半径は、０．０８〜０．１２インチ、又は０．１２〜０．１６インチの範囲であり得る。いくつかの実施態様において、第１の曲線２５２及び第２の曲線２５６の外半径は、０．０８〜０．１インチ、０．１〜０．１２インチ、０．１２〜０．１４インチ、又は０．１４〜０．１６インチの範囲であり得る。例えば、第１の曲線２５２および第２の曲線２５６の外半径は、０．０５、０．０６、０．０７、０．０８、０．０９、０．１、０．１１、０．１２、０．１３、０．１４、または０．１５インチとすることができる。
【００６０】
第１の曲線２５２及び第２の曲線２５６は、内半径を含むことができる。内半径は外半径より小さくなる。別の方法で言えば、外半径は内半径よりも大きくなる。第１の曲線２５２及び第２の曲線２５６の内半径は、類似又は異なるものとすることができる。第１の曲線２５２および第２の曲線２５６の内半径は、０．０３〜０．０９インチの範囲であり得る。いくつかの実施態様において、第１の曲線２５２及び第２の曲線２５６の内半径は、０．０３から０．０６インチ、又は０．０６から０．０９インチの範囲であり得る。例えば、第１の曲線２５２および第２の曲線２５６の内半径は、０．０３、０．０４、０．０５、０．０６、０．０７、０．０７５、０．０８、または０．０９インチであり得る。
【００６１】
図７に示すように、少なくとも３つのサンバースト溝が屈曲形状２６８を形成する。屈曲形状２６８は、少なくとも３つのベース溝２４４および少なくとも３つのリガメント溝２４８の一部を備えることができる。円形ベース溝２４４の一部および湾曲リガメント溝２４８は、屈曲形状２６８の凹形状を形成する。屈曲形状２６８の一部は、屈曲形状２６８の中心に対して凹または凸である。さらに、隣接する屈曲形状２６８は、少なくとも１つのリガメント溝２４８を共有することができる。共有リガメント溝２４８は、２つの屈曲形状２６８の一部を形成する。
【００６２】
図７に示されるように、格子２４０は、サンバースト溝の繰り返しパターンを備えることができる。屈曲形状２６８は、円形の形状（すなわち、ベース溝２４４）で散在する。別の言い方をすれば、格子２４０は、屈曲形状２６８の第１の繰り返しパターンと、円形形状の第２の繰り返しパターンとを備えることができ、第１の繰り返しパターンは、第２の繰り返しパターン内に散在する。さらに、別の言い方をすれば、格子２４０は、相互接続された屈曲形状２６８の繰り返しパターンを備えることができる。
【００６３】
格子２４０の寸法は、格子がフェースプレート１３０にエネルギを蓄積する方法に影響を与え得る。例えば、ベース溝２４４は、外径を有することができる。ベース溝２４４の外径は、０．１〜０．３インチの範囲とすることができる。いくつかの実施態様において、ベース溝２４４の外径は、０．１〜０．２インチ、又は０．２〜０．３インチの範囲であり得る。例えば、ベース溝２４４の外径は、０．１０、０．１１、０．１２、０．１３、０．１４、０．１５、０．１６、０．１７、０．１８、０．１９、０．２、０．２５、または０．３０インチとすることができる。
【００６４】
ベース溝２４４は、内径を備えることができる。ベース溝２４４の内径は、０．０５〜０．２インチの範囲とすることができる。いくつかの実施形態では、ベース溝２４４の内径は、０．０５〜０．１２５インチ、または０．１２５〜０．２インチの範囲とすることができる。例えば、ベース溝２４４の内径は、０．０５、０．１、０．１１、０．１２、０．１３、０．１４、０．１５、０．１６、０．１７、０．１８、０．１９、または０．２インチとすることができる。
【００６５】
＜キラル溝＞
別の例では、図８に示すように、フェースプレート１３０は格子３４０を備えることができる。格子３４０は、上述した格子１４０に類似することができるが、サイズ、形状、または寸法が異なることがある。格子３４０は、複数のキラル溝を備えることができる。別の言い方をすれば、格子３４０は、キラルパターンで配置された複数の溝を備えることができる。各キラル溝は、ベース溝３４４と、ベース溝３４４から延びる６つのリガメント溝３４８と、を備えることができる。格子３４０は、格子２４０と同様であるが、リガメント溝の幾何学的形状が異なる。ベース溝３４４は円形状とすることができ、リガメント溝３４８は直線とすることができる。リガメント溝３４８は、ベース溝３４４から直線的に外向きに延びることができる。リガメント溝３４８は、円形ベース溝３４８に接することができる。
【００６６】
図８に示すように、３つのキラル（chiral）溝が、屈曲形状３６８を形成する。屈曲形状３６８は、少なくとも３つのベース溝３４４および少なくとも３つのリガメント溝３４８の一部を備えることができる。円形ベース溝３４４の一部は、屈曲形状３６８のリエントラント形状を形成する。屈曲形状３６８の一部は、屈曲形状３６８の中心に対して凹状である。さらに、隣接する屈曲形状３６８は、少なくとも１つのリガメント溝３４８を共有することができる。共有リガメント溝３４８は、２つの屈曲形状３６８の一部を形成する。
【００６７】
格子３４０の寸法は、格子がフェースプレート１３０にエネルギを蓄積する方法に影響を与え得る。例えば、ベース溝３４４は、外径を含むことができる。ベース溝３４４の外径は、０．１〜０．３インチの範囲であり得る。いくつかの実施態様において、ベース溝３４４の外径は、０．１から０．２インチ、又は０．２から０．３インチの範囲であり得る。例えば、ベース溝３４４の外径は、０．１０、０．１１、０．１２、０．１３、０．１４、０．１５、０．１６、０．１７、０．１８、０．１９、０．２、０．２５、または０．３０インチとすることができる。
【００６８】
ベース溝３４４は、内径を備えることができる。ベース溝３４４の内径は、０．０５〜０．２インチの範囲とすることができる。いくつかの実施形態では、ベース溝３４４の内径は、０．０５〜０．１２５インチ、または０．１２５〜０．２インチの範囲とすることができる。例えば、ベース溝３４４の内径は、０．０５、０．１、０．１１、０．１２、０．１３、０．１４、０．１５、０．１６、０．１７、０．１８、０．１９、または０．２インチとすることができる。
【００６９】
＜風車溝＞
別の例では、図９に示すように、フェースプレート１３０は格子４４０を備えることができる。格子４４０は、上述した格子１４０に類似することができるが、サイズ、形状、または寸法が異なることがある。格子４４０は、複数の風車溝を備えることができる。別の言い方をすれば、格子４４０は、風車パターンに配置された複数の溝を備えることができる。各風車溝は、基点４４４で合流または収束する４つのリガメント溝４４８を備えることができる。リガメント溝４４８は、基点４４４から離れて延びることができる。ここで、隣接するリガメント溝４４８の間に直角（すなわち、約９０度）が形成される。各リガメント溝４４８は、基点４４４から変曲点４６０まで延在する。各リガメント溝４４８は、変曲点４６０で方向を変える。
【００７０】
各リガメント溝４４８は、第１のセグメント４５２と、第２のセグメント４５６と、第１のセグメント４５２と第２のセグメント４５６との間に配置された変曲点４６０と、を備えることができる。変曲点４６０の位置は、リガメント溝４４８の方向の変化を示す。変曲点４６０は、リガメント溝４４８の第１のセグメント４５２と第２のセグメント４５６との間に直角（すなわち、約９０度）を画定することができる。いくつかの実施形態では、リガメント溝４４８の第１のセグメント４５２および第２のセグメント４５６は、同様の幅を備えることができる。他の実施形態では、リガメント溝４４８の第１のセグメント４５２および第２のセグメント４５６は、異なる幅を備えることができる。
【００７１】
図９に示すように、４つの風車溝が屈曲形状４６８を形成することができる。屈曲形状４６８は、８つのリガメント溝４４８を備えることができる。リガメント溝４４８は、屈曲形状４６８のリエントラント形状を形成する。屈曲形状４６８の部分は、屈曲形状４６８の中心に対して凹状または凸状である。さらに、隣接する屈曲形状４６８は、少なくとも２つのリガメント溝４４８を共有することができる。共有リガメント溝４４８は、２つの屈曲形状４６８の一部を形成する。
【００７２】
格子２４０、３４０、および４４０の寸法は、格子がフェースプレート１３０にエネルギを蓄積する方法に影響を与え得る。例えば、図７および図８に図示されるように、ベース溝２４４および３４４は、幅（以下、「ベース溝幅」という）を備えることができる。ベース溝幅は、０．０１インチから０．１インチの範囲である。いくつかの実施態様において、ベース溝幅は、０．０１インチから０．０５インチ、又は０．０５インチから０．１インチの範囲であり得る。いくつかの実施態様において、ベース溝幅は、０．０１から０．０３インチ、０．０１から０．０４インチ、０．０１から０．０５インチ、０．０１から０．０６インチ、０．０１から０．０７インチ、０．０１から０．０８インチ、又は０．０１から０．０９インチの範囲であり得る。例えば、ベース溝幅は、０．０１、０．０２、０．０３、０．０４、０．０５、０．０６、０．０７、０．０８、０．０９、または０．１インチとすることができる。
【００７３】
別の例では、図７〜９に示すように、リガメント溝２４８、３４８、および４４８は、幅（以下、「リガメント溝幅」）を含むことができる。リガメント溝幅は、ベース溝幅と同じであっても異なっていてもよい。例えば、リガメント溝幅は、ベース溝幅よりも大きくすることができる。別の例では、リガメント溝幅は、ベース溝幅よりも小さくすることができる。いくつかの実施態様において、ベース溝幅は、０．０１インチから０．０５インチ、又は０．０５インチから０．１インチの範囲であり得る。いくつかの実施態様において、リガメント溝幅は、０．０１〜０．０３インチ、０．０１〜０．０４インチ、０．０１〜０．０５インチ、０．０１〜０．０６インチ、０．０１〜０．０７インチ、０．０１〜０．０８インチ、又は０．０１〜０．０９インチの範囲であり得る。例えば、リガメント溝幅は、０．０１、０．０２、０．０３、０．０４、０．０５、０．０６、０．０７、０．０８、０．０９、または０．１インチとすることができる。
【００７４】
一連の相互接続された溝から形成される格子２４０、３４０、および４４０（以下、「格子」という）の寸法、形状、およびパターンは、ゴルフボールのインパクトの際のフェースプレートの屈曲に影響を及ぼす。ゴルフボールのインパクトの間、格子の屈曲形状は、引張り荷重およびねじり荷重を介してエネルギを蓄積するバネに似ている。ゴルフボールがフェースプレートに衝突すると、打撃フェースは圧縮状態にあり、背面は引張り状態となる。背面に張力がかかると、屈曲形状のリガメント溝の凸曲線と凹曲線は屈曲し、線形曲げおよびねじれ曲げを介してフェースプレートにエネルギを蓄積するバネとして作用する（すなわち、張力とねじりを通してエネルギを蓄積するバネに類似する）。２つの曲げモードを通してエネルギを蓄積することは、１つの曲げモード（すなわち、線形曲げ）を通してエネルギを蓄積する従来のクラブヘッドフェースプレートよりも有利である。２つの曲げモードでエネルギを蓄積することにより、ゴルフボールのインパクトの間にボール速度を上げることができる。
【００７５】
さらに、格子の屈曲形状は、フェースプレート材料のより大きな体積にわたって、減少した応力の位置をずらすことによって、フェースプレート材料の小さな体積（すなわち、フェースプレートのインパクト面積）に集中する最大応力を減少させる。例えば、低減された応力は、フェースプレート中心１３２の近くからフェースプレート周辺部１３６の近くまでの方向へ、格子２４０、３４０、または４４０内の３〜８個のベース溝またはリガメント溝にわたって移すことができる。いくつかの実施形態では、低減された応力は、フェースプレート中心１３２付近からフェースプレート周辺部１３６付近までの方向に、３〜５、４〜６、５〜７、または６〜８のベース溝またはリガメント溝にわたって移すことができる。この応力の低減は、格子２４０、３４０又は４４０がないフェースプレートでは起こらない。
【００７６】
＜屈曲形状凹部を有する格子＞
＜屈曲形状凹部と頂点＞
上述のように、格子は、複数のランド部分から形成される複数の屈曲形状を備えることができる。複数のランド部分は、複数の屈曲形状凹部を形成することができる。ランド部分は、屈曲形状凹部を分離する。ランド部分は互いに相互接続され、クラブヘッド１００の屈曲形状凹部がない部分を画定する。ランド部分は、屈曲形状凹部の周囲を形成する。
【００７７】
ランド部分は、隣接する屈曲形状凹部間の幅を備えることができる。ランド部分幅は、屈曲形状凹部の周囲から、隣接する屈曲形状凹部の周囲までによって、測定することができる。ランド部分幅は、隣接する屈曲形状凹部の間で変化してもよいし、または一定のままであってもよい。隣接するランド部分幅は、互いに類似していてもよいし、異なっていてもよい。例えば、ランド部分幅は、屈曲形状凹部周辺の１つの部分に沿って一定に保つことができる。ランド部分幅は、屈曲形状凹部周辺の別の部分に沿って変化することができる。
【００７８】
いくつかの実施形態では、ランド部分幅は、０．０２インチよりも大きく、０．０５インチよりも大きく、０．１インチよりも大きく、０．１５インチよりも大きく、または０．２インチよりも大きくすることができる。いくつかの実施形態では、ランド部分幅は、０．０２〜０．２インチの範囲とすることができる。いくつかの実施形態では、ランド部分幅は、０．０２〜０．１インチ、すなわち０．１〜０．２インチの範囲とすることができる。いくつかの実施形態では、ランド部分幅は、０．０２〜０．０５インチ、０．０５〜０．０８インチ、０．０８〜０．１１インチ、０．１１〜０．１４インチ、０．１４〜０．１７インチ、又は０．１７〜０．２インチの範囲とすることができる。例えば、ランド部分幅は、０．０２、０．０３、０．０４、０．０５、０．０６、０．０８、０．０９、０．１、０．１１、０．１２、０．１３、０．１４、０．１５、０．１６、０．１７、０．１８、０．１９、または０．２インチとすることができる。
【００７９】
屈曲形状凹部は、幅を備えることができる。屈曲形状凹部幅は、０．０８インチより大きく、０．１インチより大きく、０．１２インチより大きく、０．１４インチより大きく、０．１６インチより大きく、０．１８インチより大きく、または０．２インチより大きくすることができる。いくつかの実施形態では、屈曲形状凹部幅は、０．１から０．３インチの範囲であり得る。いくつかの実施形態では、屈曲形状凹部幅は、０．１〜０．２インチ、または０．２〜０．３インチの範囲とすることができる。例えば、屈曲形状凹部幅は、０．１、０．１１、０．１２、０．１２５、０．１３、０．１４、０．１５、０．１６、０．１７、０．１８、０．１９、０．２、０．２５、または０．３インチとすることができる。
【００８０】
屈曲形状凹部の周囲は、鋭角の内角を画定する少なくとも２つの頂点と、優角を画定する少なくとも１つの頂点とを含むことができる。少なくとも１つの優角頂点は、少なくとも２つの鋭角内角頂点の間に配置される。少なくとも１つの優角頂点は、鋭角内角を画定しない。鋭角内角は、９０度未満の角度を画定することができ、優角は、１８０度を超え３６０度未満の角度を画定することができる。いくつかの実施形態では、優角は、１８０度より大きく２７０度未満、または２７０度より大きく３６０度未満の角度を画定することができる。他の実施形態では、優角は、１８０度より大きく２２５度未満、２２５度より大きく２７０度未満、２７０度より大きく３１５度未満、または３１５度より大きく３６０度未満の角度を画定することができる。屈曲形状凹部周辺部上の少なくとも１つの優角頂点は、凹形、凹形、または非凸形を画定することができる。
【００８１】
いくつかの実施形態では、屈曲形状凹部は、１８０度より大きく３６０度未満の優角を画定する１つ、２つ、３つ、４つ、５つ、または６つの頂点を含むことができる。優角頂点の数は、屈曲形状凹部の凹部に対応することができる。例えば、２つの優角頂点を備える屈曲形状凹部は、屈曲形状凹部周囲に沿って２つの凹部を備えることができる。別の例では、１つの優角頂点を備える屈曲形状凹部は、屈曲形状凹部周囲に沿って１つの凹部を備えることができる。別の例では、３つの優角頂点を備える屈曲形状凹部は、屈曲形状凹部周囲に沿って３つの凹部を備えることができる。別の例では、４つの優角頂点を備える屈曲形状凹部は、屈曲形状凹部周囲に沿って４つの凹部を備えることができる。さらに、別の例では、６つの優角頂点を備える屈曲形状凹部は、屈曲形状凹部周囲に沿って６つの凹部を備えることができる。
【００８２】
複数のランド部分から形成された屈曲形状凹部を含む格子は、フェースプレート内により大きなエネルギを蓄積することを容易にし、ゴルフボールインパクト時のボール速度をより大きくすることを可能にする。以下に、ランド部と屈曲形状凹部と備えた格子の５つの例を示す。以下に説明する屈曲形状凹部の例は、１つの向きを参照するが、ゴルフボールのインパクト中により大きなフェースプレートエネルギ蓄積およびより大きなボール速度を達成するために、屈曲形状凹部を幾つかの異なる構成での向きとすることができることが理解されよう。さらに、フェースプレート１３０内の応力集中を最小化するために、屈曲形状凹部周辺上の頂点を丸めるか小さな半径を備えることで、屈曲形状凹部周辺上の任意の鋭いエッジを丸めることができる。
【００８３】
＜エバン屈曲形状凹部＞
一例では、図１０に示すように、フェースプレート１３０は格子５４０を含むことができる。格子５４０は、上述したように格子１４０に類似し得るが、サイズ、形状、または寸法が異なっていてもよい。複数のランド部分５６４は、複数のエバン屈曲形状凹部５６８を形成することができる。各エバン屈曲形状凹部５６８は、鋭角内角を画定する４つの頂点５５２と、優角を画定する２つの頂点５５６と、を備えることができる。
【００８４】
図１０に示すように、エバン屈曲形状凹部５６８は、エバン屈曲形状凹部５６８の幅が鋭角内角頂点５５２から優角頂点５５６に向かって減少する蝶ネクタイ形状（bow tie shape）を備えることができる。別の言い方をすれば、エバン屈曲形状凹部５６８の幅は、対向する鋭角内角頂点５５２の間の幅の方が、優角頂点５５６の間の幅よりも大きい。エバン屈曲形状凹部５６８の最小幅は、向かい合う優角頂点５５６を横切って測定することができる。上述のように、エバン屈曲形状凹部５６８の幅は、０．０８インチよりも大きく、０．１インチよりも大きく、０．１２インチよりも大きく、０．１４インチよりも大きく、０．１６インチよりも大きく、０．１８インチよりも大きく、または０．２インチよりも大きくすることができる。いくつかの実施形態では、上述のように、エバン屈曲形状凹部５６８の幅は、０．１〜０．３インチの範囲とすることができる。一例では、エバン屈曲形状凹部５６８の幅は、０．１２５インチとすることができる。
【００８５】
ランド部分５６４の幅は、エバン屈曲形状凹部５６８の幅に対応することができる。この例では、ランド部分５６４の幅は、エバン屈曲形状凹部５６８の周囲の一部に沿って変化し得る。より具体的には、隣接するエバン屈曲形状凹部５６８間のランド部分５６４の幅は、鋭角内角頂点５５２から優角頂点５５６まで増加する。別の言い方をすれば、隣接するエバン屈曲形状凹部５６８の間のランド部分５６４の幅は、鋭角内角頂点５５２におけるよりも優角頂点５５６において大きい。さらに、別の言い方をすれば、隣接するエバン屈曲形状凹部５６８の間のランド部分５６４の幅は、優角頂点５５６におけるよりも鋭角内角頂点５５２における方が小さい。この例では、エバン屈曲形状凹部５６８の周囲の別の部分に沿ったランド部分５６４の幅は、一定のままであり得る。
【００８６】
さらに、上述のように、ランド部分５６４の幅は、０．０２インチよりも大きく、０．０５インチよりも大きく、０．１インチよりも大きく、０．１５インチよりも大きく、または０．２インチよりも大きくすることができる。いくつかの実施形態では、上述のように、ランド部分５６４の幅は、０．０２〜０．２インチの範囲とすることができる。
【００８７】
＜矢じり（Arrowhead）屈曲形状凹部＞
別の例では、図１１に示すように、フェースプレート１３０は格子６４０を含むことができる。格子６４０は、上述したように、格子１４０に類似し得るが、サイズ、形状、または寸法が異なっていてもよい。複数のランド部分６６４は、複数の矢じり屈曲形状凹部６６８からなり得る。各矢じり屈曲形状凹部６６８は、鋭角内角を画定する３つの頂点６５２と、優角を画定する１つの頂点６５６と、を備えることができる。
【００８８】
図１１に示すように、矢じり屈曲形状凹部６６８は、実質的に三角形状または矢じり形状を備えることができる。矢じり屈曲形状凹部６６８の最小幅は、優角頂点６５６と、優角頂点６５６に直接対向する鋭角内角頂点６５２（すなわち、優角頂点６５６に隣接しない鋭角内角頂点６５２）と、の間で測定することができる。上述のように、矢じり屈曲形状凹部６６８の幅は、０．０８インチよりも大きく、０．１インチよりも大きく、０．１２インチよりも大きく、０．１４インチよりも大きく、０．１６インチよりも大きく、０．１８インチよりも大きく、または０．２インチよりも大きくすることができる。いくつかの実施形態では、上述のように、矢じり屈曲形状凹部６６８の幅は、０．１〜０．３インチの範囲とすることができる。一例では、矢じり屈曲形状凹部６６８の幅は、０．１２５インチとすることができる。
【００８９】
ランド部分６６４の幅は、矢じり屈曲形状凹部６６８の幅に対応することができる。この例では、ランド部分６６４の幅は、矢じり屈曲形状凹部６６８の周囲の一部に沿って一定のままであり得る。ランド部分６６４の幅は、矢じり屈曲形状凹部６６８の周囲の別の部分に沿って変化し得る。
【００９０】
さらに、上述のように、ランド部分６６４の幅は、０．０２インチよりも大きく、０．０５インチよりも大きく、０．１インチよりも大きく、０．１５インチよりも大きく、または０．２インチよりも大きくすることができる。いくつかの実施形態では、上述のように、ランド部分６６４の幅は、０．０２〜０．２インチの範囲とすることができる。
【００９１】
＜４点星形（Four-Pointed Star）屈曲形状凹部＞
別の例では、図１２に示すように、フェースプレート１３０は格子７４０を備えることができる。格子７４０は、上述したように格子１４０に類似し得るが、サイズ、形状、または寸法が異なっていてもよい。複数のランド部分７６４は、複数の４点星形屈曲形状凹部７６８を形成することができる。４点星形屈曲形状凹部７６８の各々は、鋭角内角を画定する４つの頂点７５２と、優角を画定する４つの頂点７５６と、を備えることができる。
【００９２】
図１２に示すように、４点星形屈曲形状凹部７６８は、星形または凹状の正方形を備えることができる。４点星形屈曲形状凹部７６８の最小幅は、対向する優角頂点７５６の間で測定することができる。４点星形屈曲形状凹部７６８の最大幅は、対向する鋭角内角頂点７５２（すなわち、それらの間に凹部または空隙を有する鋭角内角頂点７５２）の間で測定することができる。上述したように、４点星形屈曲形状凹部７６８の幅は、０．０８インチよりも大きく、０．１インチよりも大きく、０．１２インチよりも大きく、０．１４インチよりも大きく、０．１６インチよりも大きく、０．１８インチよりも大きく、または０．２インチよりも大きくすることができる。いくつかの実施形態では、上述のように、４点星形屈曲形状凹部７６８の幅は、０．１〜０．３インチの範囲とすることができる。一例では、４点星形屈曲形状凹部７６８の幅は、０．１２５インチとすることができる。
【００９３】
ランド部分７６４の幅は、４点星形屈曲形状凹部７６８の幅に対応することができる。この例では、ランド部分７６４の幅は、４点星形屈曲形状凹部７６８の周囲の一部に沿って変化させることができる。より具体的には、隣接する４点星形屈曲形状凹部７６８の間のランド部分７６４の幅は、鋭角内角頂点７５２から優角頂点７５６まで増加する。別の言い方をすれば、ランド部分７６４の幅は、鋭角内角頂点７５２におけるものよりも優角頂点７５６におけるものの方が大きい。さらに、別の言い方をすれば、ランド部分７６４の幅は、優角頂点７５６におけるよりも鋭角内角頂点７５２において小さい。
【００９４】
さらに、上述のように、ランド部分７６４の幅は、０．０２インチよりも大きく、０．０５インチよりも大きく、０．１インチよりも大きく、０．１５インチよりも大きく、または０．２インチよりも大きくすることができる。いくつかの実施形態では、上述のように、ランド部分７６４の幅は、０．０２〜０．２インチの範囲とすることができる。
【００９５】
＜６点星形（Six-Pointed Star）屈曲形状凹部＞
別の例では、図１３に示すように、フェースプレート１３０は格子８４０を含むことができる。格子８４０は、上述したように、格子１４０に類似し得るが、サイズ、形状、または寸法が異なっていてもよい。複数のランド部分８６４は、複数の６点星形屈曲形状凹部８６８を形成することができる。６点星形屈曲形状凹部７６８の各々は、鋭角内角を画定する６つの頂点８５２と、優角を画定する６つの頂点８５６とを備えることができる。
【００９６】
図１３に示すように、６点星形屈曲形状凹部８６８は、星形を備えることができる。６点星形屈曲形状凹部８６８の最小幅は、対向する優角頂点８５６（すなわち、それらの間に凹部または空隙を有する優角頂点８５６）の間で測定することができる。６点星形屈曲形状凹部８６８の最大幅は、対向する鋭角内角頂点８５２（すなわち、それらの間に凹部または空隙を有する鋭角内角頂点８５２）の間で測定することができる。上述のように、６点星形屈曲形状凹部８６８の幅は、０．０８インチより大きく、０．１インチより大きく、０．１２インチより大きく、０．１４インチより大きく、０．１６インチより大きく、０．１８インチより大きく、または０．２インチより大きくなり得る。いくつかの実施形態では、上述のように、６点星形屈曲形状凹部８６８の幅は、０．１〜０．３インチの範囲とすることができる。一例では、６点星状屈曲形状凹部８６８の幅は、０．１２５インチであり得る。
【００９７】
ランド部分８６４の幅は、６点星形屈曲形状凹部８６８の幅に対応することができる。この例では、ランド部分８６４の幅は、６点星形屈曲形状凹部８６８の周囲の一部に沿って変化させることができる。より具体的には、隣接する６点星形屈曲形状凹部８６８の間のランド部分８６４の幅は、鋭角内角頂点８５２から優角頂点８５６まで増加する。別の言い方をすれば、隣接する６点星形屈曲形状凹部８６８の間のランド部分８６４の幅は、鋭角内角頂点８５２におけるものよりも優角頂点８５６におけるものの方が大きい。さらに、別の言い方をすれば、隣接する６点星形屈曲形状凹部８６８の間のランド部分８６４の幅は、優角頂点８５６におけるよりも鋭角内角頂点８５２において小さい。
【００９８】
さらに、上述のように、ランド部分８６４の幅は、０．０２インチよりも大きく、０．０５インチよりも大きく、０．１インチよりも大きく、０．１５インチよりも大きく、または０．２インチよりも大きくすることができる。いくつかの実施形態では、上述のように、ランド部分８６４の幅は、０．０２〜０．２インチの範囲とすることができる。
【００９９】
＜三点星形（Three-Pointed Star）屈曲形状凹部＞
別の例では、図１４に示すように、フェースプレート１３０は格子９４０を備えることができる。格子９４０は、上述した格子１４０に類似することができるが、サイズ、形状、または寸法が異なっていてもよい。複数のランド部分９６４は、複数の３点星状屈曲形状凹部９６８を形成することができる。３点星形屈曲形状凹部９６８の各々は、鋭角内角を画定する３つの頂点９５２と、優角を画定する３つの頂点９５６と、を備えることができる。
【０１００】
図１４に図示されるように、３点星形屈曲形状凹部９６８は、実質的に三角形の形状、星形、またはＹ字形を備えることができる。３点星形屈曲形状凹部９６８の最小幅は、対向する優角頂点９５６（すなわち、それらの間に凹部または空隙を有する優角頂点９５６）の間で測定することができる。３点星形屈曲形状凹部９６８の最大幅は、鋭角内角頂点９５２と優角頂点９５６との間（すなわち、鋭角内角頂点９５２と、それらの間に凹部または空隙を有する優角頂点９５６との間）で測定することができる。上述のように、３点星形屈曲形状凹部９６８の幅は、０．０８インチよりも大きく、０．１インチよりも大きく、０．１２インチよりも大きく、０．１４インチよりも大きく、０．１６インチよりも大きく、０．１８インチよりも大きく、または０．２インチよりも大きくすることができる。いくつかの実施形態では、上述したように、３点屈曲形状凹部９６８の幅は、０．１〜０．３インチの範囲とすることができる。一例では、３点屈曲形状凹部９６８の幅は、０．１２５インチとすることができる。
【０１０１】
ランド部分９６４の幅は、３点星形屈曲形状凹部９６８の幅に対応することができる。この例では、ランド部分９６４の幅は、３点星形屈曲形状凹部９６８の周囲の一部に沿って変化させることができる。より具体的には、ランド部分９６４の最小幅は、屈曲形状凹部９６８上の優角頂点９５６と、隣接する屈曲形状凹部９６８上の鋭角内角頂点９５２と、の間で測定することができる。
【０１０２】
さらに、上述のように、ランド部分９６４の幅は、０．０２インチよりも大きく、０．０５インチよりも大きく、０．１インチよりも大きく、０．１５インチよりも大きく、または０．２インチよりも大きくすることができる。いくつかの実施形態では、上述のように、ランド部分９６４の幅は、０．０２〜０．２インチの範囲とすることができる。
【０１０３】
複数のランド部分から形成される格子５４０、６４０、７４０、８４０、および９４０（以下、「格子」という）の複数の屈曲形状凹部は、ゴルフボールのインパクト時にフェースプレートの屈曲に影響を及ぼす。ゴルフボールのインパクトの間、格子の屈曲形状凹部は、引張り荷重およびねじり荷重を介してエネルギを蓄積するバネに似ている。ゴルフボールがフェースプレートに衝突すると、打撃フェースは圧縮状態にあり、背面は引張り状態となる。張力が背面に加えられると、屈曲形状凹部は、優角頂点で拡張する（すなわち、屈曲形状凹部は、サイズまたは体積が増大する）。この拡張により、屈曲形状凹部は、線形曲げおよびねじり曲げを介して（すなわち、張力およびねじりを通してエネルギを蓄積するバネに類似して）、フェースプレートにエネルギを蓄積することができる。２つの曲げモードを通してエネルギを蓄積することは、１つの曲げモード（すなわち、線形曲げ）を通してエネルギを蓄積する従来のクラブヘッドフェースプレートよりも有利である。２つの曲げモードでエネルギを蓄積することにより、ゴルフボールのインパクト時にボール速度を上げることができる。
【０１０４】
さらに、格子の屈曲形状は、フェースプレート材料のより大きな体積にわたって、減少した応力の位置をずらすことによって、フェースプレート材料の小さな体積（すなわち、フェースプレートのインパクト面積）に集中する最大の応力を減少させる。例えば、低減された応力は、フェースプレート中心１３２の近くから、格子５４０、６４０、７４０、８４０、または９４０内のフェースプレート周辺部１３６の近くまでの方向に、３〜８個の屈曲形状凹部にわたって移すことができる。いくつかの実施形態では、低減された応力は、フェースプレート中心１３２の近くからフェースプレート周辺部１３６の近くまでの方向に、３から５、４から６、５から７、または６から８の屈曲形状凹部にわたって移すことができる。この応力の低減は、格子５４０、６４０、７４０、８４０、または９４０がないフェースプレートでは生じない。
【０１０５】
＜幾何学的形状を持つランド部分によって定義される屈曲形状凹部＞
上述のように、格子は、複数のランド部分から形成される複数の屈曲形状を備えることができる。複数のランド部分は、複数の屈曲形状凹部を形成することができる。複数のランド部分は、複数の屈曲形状凹部を分離する。ランド部分は、互いに相互接続され、クラブヘッド１００の屈曲形状凹部がない部分を画定する。ランド部分は、屈曲形状凹部の周囲を形成する。いくつかの実施形態では、屈曲形状凹部の周囲は、リエントラント形状、凹形状、または非凸形状を備えることができる。他の実施形態では、屈曲形状凹部の周囲は、リエントラント、凹状、非凸形状を欠くことができる。
【０１０６】
ランド部分は、隣接する屈曲形状凹部の間の幾何学的形状を備えることができる。ランド部分の幾何学的形状は、三角形、正方形、長方形、菱形、平行四辺形、四角形、多角形、または六角形を備えることができる。ランド部分の幾何学的形状は、互いに相互接続することができる。そしてランド部分は、屈曲形状凹部の間に、一連の相互接続された幾何学的形状を形成する。
【０１０７】
ランド部分の幾何学的形状は、１つ以上の屈曲形状凹部の一部を形成することができる。例えば、ランド部分は、３つの屈曲形状凹部の一部を形成する三角形状を備えることができる。別の例では、ランド部分は、４つの屈曲形状凹部の一部を形成する四角形形状を備えることができる。
【０１０８】
ランド部分は、隣接する屈曲形状凹部間の幅を備えることができる。ランド部分幅は、屈曲形状凹部の周囲から、隣接する屈曲形状凹部の周囲までによって、測定することができる。ランド部分幅は、隣接する屈曲形状凹部の間で変化してもよいし、または一定のままであってもよい。隣接するランド部分幅は、互いに類似していてもよいし、異なっていてもよい。例えば、ランド部分幅は、屈曲形状凹部周辺の１つの部分に沿って一定に保つことができる。ランド部分幅は、屈曲形状凹部周辺の別の部分に沿って変化することができる。
【０１０９】
いくつかの実施形態では、ランド部分幅は、０．０２インチよりも大きく、０．０５インチよりも大きく、０．１インチよりも大きく、０．１５インチよりも大きく、または０．２インチよりも大きくすることができる。いくつかの実施形態では、ランド部分幅は、０．０２〜０．２インチの範囲とすることができる。いくつかの実施形態では、ランド部分幅は、０．０２〜０．１インチ、すなわち０．１〜０．２インチの範囲とすることができる。いくつかの実施形態では、ランド部分幅は、０．０２〜０．０５インチ、０．０５〜０．０８インチ、０．０８〜０．１１インチ、０．１１〜０．１４インチ、０．１４〜０．１７インチ、又は０．１７〜０．２インチの範囲とすることができる。例えば、ランド部分幅は、０．０２、０．０３、０．０４、０．０５、０．０６、０．０８、０．０９、０．１、０．１１、０．１２、０．１３、０．１４、０．１５、０．１６、０．１７、０．１８、０．１９、または０．２インチとすることができる。
【０１１０】
屈曲形状凹部は、幅を備えることができる。屈曲形状凹部幅は、０．０８インチより大きく、０．１インチより大きく、０．１２インチより大きく、０．１４インチより大きく、０．１６インチより大きく、０．１８インチより大きく、または０．２インチより大きくすることができる。いくつかの実施形態では、屈曲形状凹部幅は、０．１から０．３インチの範囲であり得る。いくつかの実施形態では、屈曲形状凹部幅は、０．１〜０．２インチ、または０．２〜０．３インチの範囲とすることができる。例えば、屈曲形状凹部幅は、０．１、０．１１、０．１２、０．１２５、０．１３、０．１４、０．１５、０．１６、０．１７、０．１８、０．１９、０．２、０．２５、または０．３インチとすることができる。
【０１１１】
複数のランド部分から形成された屈曲形状凹部を含む格子は、フェースプレート内により大きなエネルギを蓄積することを容易にし、ゴルフボールインパクト時のボール速度をより大きくすることを可能にする。以下に、幾何学的形状および屈曲形状凹部を有するランド部を備える格子の、４つの例を説明する。以下に説明する屈曲形状凹部の例は、１つの向きを参照するものであるが、ゴルフボールのインパクト時により大きなフェースプレートエネルギ蓄積およびより大きなボール速度を達成するために、屈曲形状凹部を幾つかの異なる構成での向きとすることができることが理解されよう。
【０１１２】
＜三角形の形状を持つランド部分＞
一例では、図１４に示すように、また上述したように、フェースプレート１３０は格子９４０を備えることができる。格子９４０は、上述した格子１４０に類似することができるが、サイズ、形状、または寸法が異なっていてもよい。複数のランド部９６４は、複数の３点星状屈曲形状凹部９６８を形成することができる。３点星形屈曲形状凹部９６８は、リエントラント、凹形、または非凸形を含むことができる。ランド部分９６４は、三角形の形状を備えることができる。この例では、三角形状を有する６つのランド部９６４が、１つの屈曲形状凹部９６８を形成することができる。ランド部分９６４は、一連の相互接続された三角形の形状を含むことができる。
【０１１３】
別の例では、図１５に示すように、フェースプレート１３０は格子１０４０を備えることができる。格子１０４０は、上述した格子１４０に類似し得るが、サイズ、形状、または寸法が異なっていてもよい。格子１０４０は、上述の格子９４０に類似してもよいが、形状の幾何学的形状が異なる。複数のランド部分１０６４は、複数のトライアド（triad）屈曲形状凹部１０６８を形成することができる。トライアド屈曲形状凹部１０６８は、リエントラント形状、凹形状、または非凸形状を含んでもよい。トライアド屈曲形状凹部１０６８は、丸みを有する実質的に三角形の形状を備えることができる（すなわち、トライアド屈曲形状凹部１０６８の周囲は、屈曲形状凹部９６８よりも丸みがある）。
【０１１４】
ランド部分１０６４は、実質的に三角形の形状を備えることができる。この例では、実質的に三角形の形状を有する６つのランド部分１０６４が、１つの屈曲形状凹部１０６８を形成することができる。ランド部分１０６４は、上述の格子９４０と同様に、一連の相互接続された三角形形状を備えることができる。上述のように、ランド部分１０６４の幅は、０．０２インチよりも大きく、０．０５インチよりも大きく、０．１インチよりも大きく、０．１５インチよりも大きく、または０．２インチよりも大きくすることができる。いくつかの実施形態では、上述のように、ランド部分１０６４の幅は、０．０２〜０．２インチの範囲とすることができる。
【０１１５】
上述のように、トライアド屈曲形状凹部１０６８の幅は、０．０８インチより大きく、０．１インチより大きく、０．１２インチより大きく、０．１４インチより大きく、０．１６インチより大きく、０．１８インチより大きく、又は０．２インチより大きくすることができる。いくつかの実施形態では、上述したように、トライアド屈曲形状凹部１０６８の幅は、０．１〜０．３インチの範囲とすることができる。一例では、トライアド屈曲形状凹部１０６８の幅は、０．１２５インチとすることができる。
【０１１６】
トライアド屈曲形状凹部１０６８は、半径を備えることができる。トライアド屈曲形状凹部１０６８の半径は、０．０１〜０．０５インチの範囲であり得る。いくつかの実施形態では、トライアド屈曲形状凹部１０６８の半径は、０．０１〜０．０２５インチ、または０．０２５〜０．０５インチの範囲とすることができる。例えば、トライアド屈曲形状凹部１０６８の半径は、０．０１、０．０１１、０．０２、０．０３、０．０４、または０．０５インチとすることができる。一例では、トライアド屈曲形状凹部１０６８は、０．０１１インチの値を有する３つの半径を備えることができる。
【０１１７】
＜四辺形状のランド部分＞
別の例では、図１６に示すように、フェースプレート１３０は格子１１４０を備えることができる。格子１１４０は、上述の格子１４０に類似し得るが、サイズ、形状、または寸法が異なっていてもよい。複数のランド部分１１６４は、複数のダイヤモンド屈曲形状凹部１１６８を形成し得る。ダイヤモンド屈曲形状凹部１１６８は、凸形状を有することができる。より具体的には、ダイヤモンド屈曲形状凹部１１６８は、ダイヤモンド、長方形、菱形、平行四辺形、または任意の四辺形形状を備えることができる。ランド部分１１６４は、正方形の形状を備えることができる。他の実施形態では、ランド部分１１６４は、長方形、菱形、平行四辺形、または任意の四辺形を備えることができる。
【０１１８】
この例では、正方形の形状を有する４つのランド部分１１６４が、１つの屈曲形状凹部１１６８を形成することができる。ランド部分１１６４は、一連の相互接続された略正方形状を備えることができる。
【０１１９】
ランド部分１１６４の幅は、ダイヤモンド屈曲形状凹部１１６８の幅に対応し得る。ランド部分１１６４の幅は、隣接するダイヤモンド屈曲形状凹部１１６８間で一定のままであり得る。上述のように、ランド部分１１６４の幅は、０．０２インチよりも大きく、０．０５インチよりも大きく、０．１インチよりも大きく、０．１５インチよりも大きく、または０．２インチよりも大きくすることができる。いくつかの実施形態では、上述のように、ランド部分１１６４の幅は、０．０２〜０．２インチの範囲とすることができる。
【０１２０】
上述のように、ダイヤモンド屈曲形状凹部１１６８の幅は、０．０８インチより大きく、０．１インチより大きく、０．１２インチより大きく、０．１４インチより大きく、０．１６インチより大きく、０．１８インチより大きく、または０．２インチより大きくすることができる。いくつかの実施態様において、上述のように、ダイヤモンド屈曲形状凹部１１６８の幅は、０．１〜０．３インチの範囲であり得る。一例では、ダイヤモンド屈曲形状凹部１１６８の幅は、０．１２５インチであり得る。
【０１２１】
＜六角形のランド部分＞
別の例では、図１７に示すように、フェースプレート１３０は格子１２４０を備えることができる。格子１２４０は、上述の格子１４０に類似することができるが、サイズ、形状、または寸法が異なっていてもよい。複数のランド部分１２６４は、複数のスロット屈曲形状凹部１２６８を形成し得る。スロット屈曲形状凹部１２６８は、スロットに似た形状、または丸い端部を有する長方形を備えることができる。スロット屈曲形状凹部１２６８は、凸形状を含んでもよい。ランド部分１２６４は、六角形の形状を備えることができる。
【０１２２】
この例では、５つのスロット屈曲形状凹部１２６８を配置して、六角形の１つのランド部分１２６４を形成することができる。スロット屈曲形状凹部１２６８は、六角形状を有する複数の相互接続されたランド部分１２６４を形成するように配列され得る。
【０１２３】
上述のように、ランド部分１２６４の幅は、０．０２インチよりも大きく、０．０５インチよりも大きく、０．１インチよりも大きく、０．１５インチよりも大きく、または０．２インチよりも大きくすることができる。いくつかの実施形態では、上述のように、ランド部分１２６４の幅は、０．０２〜０．２インチの範囲とすることができる。
【０１２４】
上述のように、スロット屈曲形状凹部１２６８の幅は、０．０８インチよりも大きく、０．１インチよりも大きく、０．１２インチよりも大きく、０．１４インチよりも大きく、０．１６インチよりも大きく、０．１８インチよりも大きく、または０．２インチよりも大きくすることができる。いくつかの実施形態では、上述のように、スロット屈曲形状凹部１２６８の幅は、０．１〜０．３インチの範囲とすることができる。一例では、スロット屈曲形状凹部１２６８の幅は、０．１２５インチとすることができる。
【０１２５】
幾何学的形状を有する複数のランド部分から形成された格子９４０、１０４０、１１４０、または１２４０（以下、「格子」という）の複数の屈曲形状凹部は、ゴルフボールのインパクト中のフェースプレートの屈曲に影響を及ぼす。ゴルフボールのインパクトの間、格子のランド部分は、引張り荷重およびねじり荷重を介してエネルギを蓄積するバネに似ている。ゴルフボールがフェースプレート１３０に衝突すると、打撃フェース１３４は圧縮状態にあり、背面１３８は引張り状態にある。背面１３８に張力が加えられると、ランド部分は直線的かつ回転的にゆがむ。この直線的かつ回転的な動きにより、ランド部分は、線形曲げおよびねじれ曲げを介して、フェースプレート１３０内にエネルギを蓄積することができる（すなわち、張力およびねじりを通じてエネルギを蓄積するバネに類似する）。２つの曲げモードを通してエネルギを蓄積することは、１つの曲げモード（すなわち、線形曲げ）を通してエネルギを蓄積する従来のクラブヘッドフェースプレートよりも有利である。２つの曲げモードでエネルギを蓄積することにより、ゴルフボールのインパクト時にボール速度を上げることができる。
【０１２６】
さらに、格子の屈曲形状は、フェースプレート材料のより大きな体積にわたって、減少した応力の位置をずらすことによって、フェースプレート材料の小さな体積（すなわち、フェースプレートのインパクト面積）に集中する最大の応力を減少させる。例えば、低減された応力は、フェースプレート中心１３２の近くから、格子１０４０、１１４０、又は１２４０内のフェースプレート周辺部１３６の近くまでの方向に、３〜８個のランド部分にわたって移すことができる。いくつかの実施形態では、低減された応力は、フェースプレート中心１３２付近からフェースプレート周辺部１３６付近までの方向に、３〜５、４〜６、５〜７、または６〜８個のランド部分にわたって移すことができる。この応力の低減は、格子１０４０、１１４０、または１２４０がないフェースプレートでは生じない。
【０１２７】
＜格子を有するゴルフクラブヘッドフェースプレートの製造方法＞
本明細書に記載される格子を有するフェースプレート１３０を有するクラブヘッド１００を製造する方法が提供される。この方法は、本体１１０およびフェースプレート１３０を提供することを含む。フェースプレート１３０は、実質的に中空／閉鎖構造を画定するように本体１１０に結合される。本体１１０は、鋳造、鍛造、機械加工、放電加工（ＥＤＭ）、化学エッチング、アディティブ製造（additive manufacturing）、３Ｄ印刷、または任意の適切な方法またはそれらの組み合わせによって作製または形成することができる。いくつかの実施形態では、フェースプレート１３０は、本体１１０上に溶接することができる。他の実施形態では、フェースプレート１３０および本体１１０は、一体部品として一緒に形成することができる。
【０１２８】
さらに、格子を有するフェースプレート１３０は、放電加工（ＥＤＭ）、化学エッチング、アディティブ製造、３Ｄ印刷、またはそれらの任意の組合せによって作成または形成することができる。一実施形態では、フェースプレート１３０は、粉末金属焼結などのアディティブ製造方法から形成することができる。粉末金属焼結システムは、レーザのような加熱源によって層毎に焼結又は溶融される、金属粉末の層を含む。積層技術（layer by layer technique）は、層状金属から格子を有する三次元フェースプレート１３０を形成する。
【０１２９】
フェースプレート１３０の格子を形成するためにこれらの方法を使用することの利点は、ゴルフボールのインパクト中にフェースプレート１３０における大きな応力集中を最小限に抑えることである。特に、これらの方法は、正方形または鋭いエッジではなく、格子のエッジ上に小さな隅肉（fillets）（例えば０．０１５〜０．０５インチ）を提供する。フライス加工またはエンドミル加工のような方法は、格子を形成する際に有利ではない。何故ならば、これらの方法は、正方形または鋭いエッジを形成し、格子内に高程度の応力集中を生じさせ、ゴルフボールのインパクト中にフェースプレート１３０の故障をもたらすからである。
【０１３０】
＜例＞
＜例１−反発係数（ＣＯＲ）フェースプレート試験＞
格子および可変面厚さを備える代表的なフェースプレート１３０を、格子が欠けている類似の照査フェースプレートと比較した。代表的なフェースプレート１３０は、０．０９インチのフェースプレート周囲厚さ、０．２０インチのフェースプレート中心厚さ、０．０５インチの格子深さ、およびトライアド屈曲形状凹部１０６８を有する格子１０４０、を含む可変フェースプレート厚さを備える。照査フェースプレートは、０．０９インチのフェースプレート周囲厚さ、０．２０インチのフェースプレート中心厚さ、を含む可変フェースプレート厚さを備える。代表的なフェースプレート１３０および照査フェースプレートは、チタン合金（すなわち、Ｔｉ−６−４）を備える。
【０１３１】
代表的なフェースプレート１３０と照査フェースプレートとの間の反発係数（ＣＯＲ）を比較するために試験を行った。反発係数（ＣＯＲ）は、ゴルフボールとフェースプレートの衝突の間の、最終速度と初速度の比である。試験は、各フェースプレートで、ゴルフボールを発射するエアキャノンを使用した。各フェースプレートから空気キャノンの配置位置までの距離を一定に保ち、各フェースプレートを固定位置に保持した。試験の結果、代表的なフェースプレート１３０は０．８２７のＣＯＲ値の平均値であり、照査フェースプレートは０．７９５のＣＯＲ値の平均値であった。結果は、代表的なフェースプレート１３０が、照査フェースプレートに対して平均３．５４％のＣＯＲの増加を有したことを示す。代表的なフェースプレート１３０の格子は、２つの曲げモード（すなわち、線形およびねじり）を通してエネルギ蓄積を可能にする。それによって、ゴルフボールインパクトの間、より大きなボール速度を提供するためにＣＯＲを増加させる。
【０１３２】
＜例２−内部エネルギフェースプレート試験＞
格子および可変面厚さを含む代表的なフェースプレート１３０を、格子および可変面厚さが欠けている類似の照査フェースプレートと比較した。代表的なフェースプレート１３０は、０．０９インチのフェースプレート周囲厚さ、０．２０インチのフェースプレート中心厚さ、０．０５インチの格子深さ、を含む可変フェースプレート厚さを備える。照査フェースプレートは、０．１１５インチ（ＵＳＧＡ標準フェースプレート）の一定のフェースプレート厚さを備えている。
【０１３３】
テストは、代表的なフェースプレート１３０と照査フェースプレートとの間の内部エネルギを比較するために実施された。この試験では、ボール速度が時速９０〜１１５マイルの範囲で、打撃フェース上のゴルフボールのインパクトをモデル化した、有限要素シミュレーションを使用した。内部エネルギはポンド・インチ（lbf-inch）で測定される。試験の結果、代表的なフェースプレート１３０は８０〜８２ポンド・インチの内部エネルギを有し、照査フェースプレートは７１ポンド・インチの内部エネルギを有していた。結果は、代表的なフェースプレート１３０が、内部エネルギの１０％〜１５％の増加を有したことを示す。この内部エネルギ増加は、およそ時速１マイルから３マイルのボール速度増加に等しい。代表的なフェースプレート１３０の格子は、２つの曲げモード（すなわち、線形およびねじり）を通してエネルギを蓄積することによって、より大きなエネルギ蓄積を可能にし、これにより、ゴルフボールインパクト中のより大きなボール速度を可能にする。
【０１３４】
１つまたは複数の列挙される要素の置換は、再構築を構成するものとなり、修復とはならない。さらに、利益、他の利点、および問題の解決策を、具体的な実施形態に関連して説明した。しかし、これらの利益、利点、問題の解決策、ならびに、任意の利益、利点、もしくは解決策を行い得るまたはより顕著なものにさせ得る任意の１つまたは複数の要素は、特許請求の範囲のいずれかまたは全ての重要な、必要な、もしくは必須の特徴または要素として見なすべきではない。
【０１３５】
ゴルフのルールが、時折変更され得る（例えば全米ゴルフ協会（ＵＳＧＡ）、英国ゴルフ協会（Ｒ＆Ａ）、等々のゴルフ基準決定機関および／または監督機関により、新たなレギュレーションが採用される場合がある、または旧式ルールが排除されるもしくは変更される場合がある、など）ため、本明細書において説明される装置、方法、および製造物品に関連するゴルフ用具が、任意の特定の時代におけるゴルフのルールに準拠するまたは準拠しない場合がある。したがって、本明細書において説明される装置、方法、および製造物品に関連するゴルフ用具は、準拠するまたは準拠しないゴルフ用具として、宣伝、売出し、および／または販売される場合がある。本明細書において説明される装置、方法、および製造物品は、この点に関して限定されない。
【０１３６】
さらに、本明細書において説明される実施形態および限定は、それらの実施形態および／または限定が、（１）特許請求の範囲において明確には特許請求されないが、（２）均等論の下では特許請求の範囲に明言された要素および／または限定の均等物であるかあるいは潜在的均等物である場合には、共有の原則の下で公有に属するものにはならない。
【０１３７】
条項１：格子を備えたフェースプレートを備えたゴルフクラブヘッドであって、前記格子は、サンバーストパターンで配列された複数の溝を備えており、サンバースト溝の各々は、ベース溝と、複数のリガメント溝であって、前記ベース溝に接続されるとともに前記ベース溝から外向きに延びている前記複数のリガメント溝と、を備え、前記ベース溝は、円形の形状を備えており、前記リガメント溝は、少なくとも１つの曲線を備えており、少なくとも３つのサンバースト溝は、屈曲形状を形成しており、前記屈曲形状は、前記屈曲形状の中心に対して一連の凸曲線および凹曲線を形成している少なくとも３つのベース溝および少なくとも３つのリガメント溝の一部を備えており、前記屈曲形状の前記一連の凸曲線および凹曲線は、線形曲げおよびねじれ曲げによってエネルギを蓄積するために、ゴルフボールインパクト中に屈曲する、ゴルフクラブヘッド。
【０１３８】
条項２：前記複数のサンバースト溝は、円形の繰り返しパターン内に点在している屈曲形状の繰り返しパターンを備える、条項１に記載のゴルフクラブヘッド。
【０１３９】
条項３：前記屈曲形状は、内側にへこんだ形状を備えている、条項１に記載のゴルフクラブヘッド。
【０１４０】
条項４：前記複数の屈曲形状は、中央領域、トウ領域、ヒール領域、トップ領域、ボトム領域、ハイ・トウ領域、ロー・トウ領域、ハイ・ヒール領域、およびロー・ヒール領域からなるグループから選択されるフェースプレート領域上に位置している、条項２に記載のゴルフクラブヘッド。
【０１４１】
条項５：前記複数のリガメント溝は、前記ベース溝に沿って等間隔に配置されている、条項１に記載のゴルフクラブヘッド。
【０１４２】
条項６：前記ベース溝は、０．０１インチから０．０５インチの範囲の幅を備える、条項１に記載のゴルフクラブヘッド。
【０１４３】
条項７：前記リガメント溝は、０．０１インチから０．０５インチの範囲の幅を備える、条項１に記載のゴルフクラブヘッド。
【０１４４】
条項８：前記複数の溝の深さは、０．０２５インチから０．０７５インチの範囲である、条項１に記載のゴルフクラブヘッド。
【０１４５】
条項９：格子を備えたフェースプレートを備えたゴルフクラブヘッドであって、前記格子は、サンバーストパターンで配列された複数の溝を備えており、サンバースト溝の各々は、ベース溝と、複数のリガメント溝であって、前記ベース溝に接続されるとともに前記ベース溝から外向きに延びている前記複数のリガメント溝と、を備え、前記ベース溝は、円形の形状を備えており、前記リガメント溝は、少なくとも１つの曲線を備えており、少なくとも３つのサンバースト溝は、屈曲形状を形成しており、前記屈曲形状は、前記屈曲形状の中心に対して一連の凸曲線および凹曲線を形成している少なくとも３つのベース溝および少なくとも３つのリガメント溝の一部を備えており、前記複数のサンバースト溝は、相互接続された屈曲形状の繰り返しパターンを備えており、前記屈曲形状の前記一連の凸曲線および凹曲線は、線形曲げおよびねじれ曲げによってエネルギを蓄積するために、ゴルフボールインパクト中に屈曲する、ゴルフクラブヘッド。
【０１４６】
条項１０：前記複数の屈曲形状は、中央領域、トウ領域、ヒール領域、トップ領域、ボトム領域、ハイ・トウ領域、ロー・トウ領域、ハイ・ヒール領域、およびロー・ヒール領域からなるグループから選択されるフェースプレート領域上に位置している、条項９に記載のゴルフクラブヘッド。
【０１４７】
条項１１：前記屈曲形状は、内側にへこんだ形状を備えている、条項９に記載のゴルフクラブヘッド。
【０１４８】
条項１２：隣接する屈曲形状が少なくとも１つのリガメント溝を共有している、条項９に記載のゴルフクラブヘッド。
【０１４９】
条項１３：前記リガメント溝は、０．０１インチから０．０５インチの範囲の幅を備える、条項９に記載のゴルフクラブヘッド。
【０１５０】
条項１４：前記複数の溝の深さは、０．０２５インチから０．０７５インチの範囲である、条項９に記載のゴルフクラブヘッド。
【０１５１】
条項１５：格子を備えたフェースプレートを備えたゴルフクラブヘッドであって、前記格子は、サンバーストパターンで配列された複数の溝を備えており、サンバースト溝の各々は、ベース溝と、複数のリガメント溝であって、前記ベース溝に接続されるとともに前記ベース溝から外向きに延びている前記複数のリガメント溝と、を備え、前記ベース溝は、円形の形状を備えており、前記リガメント溝は、第１の曲線と、第２の曲線と、前記第１の曲線と前記第２の曲線との間に位置する変曲点と、を備えており、少なくとも３つのサンバースト溝は、屈曲形状を形成しており、前記屈曲形状は、前記屈曲形状の中心に対して一連の凸曲線および凹曲線を形成している少なくとも３つのベース溝および少なくとも３つのリガメント溝の一部を備えており、前記屈曲形状は、内側にへこんだ形状を備えており、前記屈曲形状の前記一連の凸曲線および凹曲線は、線形曲げおよびねじれ曲げによってエネルギを蓄積するために、ゴルフボールインパクト中に屈曲する、ゴルフクラブヘッド。
【０１５２】
条項１６：前記複数のサンバースト溝は、円形の繰り返しパターン内に点在している屈曲形状の繰り返しパターンを備える、条項１５に記載のゴルフクラブヘッド。
【０１５３】
条項１７：前記複数の屈曲形状は、中央領域、トウ領域、ヒール領域、トップ領域、ボトム領域、ハイ・トウ領域、ロー・トウ領域、ハイ・ヒール領域、およびロー・ヒール領域からなるグループから選択されるフェースプレート領域上に位置している、条項１５に記載のゴルフクラブヘッド。
【０１５４】
条項１８：前記リガメント溝は、０．０１インチから０．０５インチの範囲の幅を備える、条項１５に記載のゴルフクラブヘッド。
【０１５５】
条項１９：前記リガメント溝の前記第１の曲線および前記第２の曲線は、同様の幅を備えている、条項１８に記載のゴルフクラブヘッド。
【０１５６】
条項２０：前記複数の溝の深さは、０．０２５インチから０．０７５インチの範囲である、条項１５に記載のゴルフクラブヘッド。
【０１５７】
条項２１：前記複数の屈曲形状は、中央領域、トウ領域、ヒール領域、トップ領域、ボトム領域、ハイ・トウ領域、ロー・トウ領域、ハイ・ヒール領域、およびロー・ヒール領域からなるグループから選択されるフェースプレート領域に向かってサイズが増大する、条項１に記載のゴルフクラブヘッド。
【０１５８】
条項２２：前記屈曲形状の数は、中央領域、トウ領域、ヒール領域、トップ領域、ボトム領域、ハイ・トウ領域、ロー・トウ領域、ハイ・ヒール領域、およびロー・ヒール領域からなるグループから選択されるフェースプレート領域に向かって増加する、条項１に記載のゴルフクラブヘッド。
【０１５９】
条項２３：格子を備えるフェースプレートを備えたゴルフクラブヘッドであって、前記格子は、複数の屈曲形状凹部を形成する複数のランド部分を備えており、前記複数の屈曲形状凹部は、鋭角内角を画定する少なくとも２つの頂点と、優角を画定する少なくとも１つの頂点と、を備えており、前記ランド部分は互いに相互接続されているとともに前記屈曲形状凹部を欠いているクラブヘッドの一部を画定しており、前記ランド部分は前記屈曲形状凹部を分離している、ゴルフクラブヘッド。
【０１６０】
条項２４：前記優角は、前記屈曲形状凹部上に少なくとも１つの凹部を画定している、条項２３に記載のゴルフクラブヘッド。
【０１６１】
条項２５：前記屈曲形状凹部は、優角を画定する２つの頂点を備えており、前記２つの優角は、前記屈曲形状凹部上の２つの凹部を画定している、条項２３に記載のゴルフクラブヘッド。
【０１６２】
条項２６：前記鋭角内角は９０度未満の角度を規定し、前記優角は１８０度超３６０度未満の角度を規定している、条項２３に記載のゴルフクラブヘッド。
【０１６３】
条項２６：格子を備えるフェースプレートを備えたゴルフクラブヘッドであって、前記格子は、複数の屈曲形状凹部を形成する複数のランド部分を備えており、前記複数の屈曲形状凹部は、幾何学的形状を備えており、前記ランド部分は互いに相互接続されており、前記ランド部分は前記屈曲形状凹部を分離しており、前記ランド部分は、前記屈曲形状凹部の間に一連の相互接続された幾何学的形状を備えている、ゴルフクラブヘッド。
【０１６４】
条項２７：前記ランド部分の幾何学的形状は、三角形、正方形、長方形、菱形、平行四辺形、四角形、多角形、および六角形からなるグループから選択される、条項２６に記載のゴルフクラブヘッド。
【０１６５】
本開示の様々な特徴および利点は、以下の特許請求の範囲に記載される。
【図１】
2021531085.tif 000003
【図２】
2021531085.tif 000004
【図３】
2021531085.tif 000005
【図４】
2021531085.tif 000006
【図５】
2021531085.tif 000007
【図６】
2021531085.tif 000008
【図７】
2021531085.tif 000009
【図８】
2021531085.tif 000010
【図９】
2021531085.tif 000011
【図１０】
2021531085.tif 000012
【図１１】
2021531085.tif 000013
【図１２】
2021531085.tif 000014
【図１３】
2021531085.tif 000015
【図１４】
2021531085.tif 000016
【図１５】
2021531085.tif 000017
【図１６】
2021531085.tif 000018
【図１７】
2021531085.tif 000019
【国際調査報告】
2021531085.tif 000020